(57)【要約】【課題】改良されたチャネル品質情報フィードバック方式を提供する。【解決手段】一実施例において、例えば進化型ノードＢ（ｅＮＢ）は、プロセッサ回路と、物理下りリンク共有チャネル（ＰＤＳＣＨ）に対するチャネル品質インデックスであって、定義された基準リソースと関連付けられたチャネル品質インデックスを受信する、プロセッサ回路による実行のための通信コンポーネントと、ＰＤＳＣＨを介した１つ又は複数のリソースブロックでのユーザ装置（ＵＥ）データの伝送のための変調及び符号化方法（ＭＣＳ）を選択し、ＭＣＳを選択する時に、定義された基準リソースのセル固有参照信号（ＣＲＳ）オーバヘッドと１つ又は複数のリソースブロックのＣＲＳオーバヘッドとの間の差異を補償する、プロセッサ回路による実行のための選択コンポーネントとを備える。他の実施例が説明されて権利請求される。【選択図】図１
2016187222.tif 000002
【特許請求の範囲】
【請求項１】
進化型ノードＢ（ｅＮＢ）であって、
プロセッサ回路と、
物理下りリンク共有チャネル（ＰＤＳＣＨ）に対するチャネル品質インデックスであって、定義された基準リソースと関連付けられた前記チャネル品質インデックスを受信する、前記プロセッサ回路による実行のための通信コンポーネントと、
前記ＰＤＳＣＨを介した１つ又は複数のリソースブロックでのユーザ装置（ＵＥ）データの伝送のための変調及び符号化方法（ＭＣＳ）を選択し、前記ＭＣＳを選択する時に、前記定義された基準リソースのセル固有参照信号（ＣＲＳ）オーバヘッドと１つ又は複数のリソースブロックのＣＲＳオーバヘッドとの間の差異を補償する、前記プロセッサ回路による実行のための選択コンポーネントとを備える、ｅＮＢ。
【請求項２】
前記プロセッサ回路による実行のための前記選択コンポーネントが、前記定義された基準リソースにおけるＣＲＳリソースエレメント（ＲＥ）の数と１つ又は複数のリソースブロックの各々におけるＣＲＳ  ＲＥの数との間の差異を補償する、請求項１に記載のｅＮＢ。
【請求項３】
前記チャネル品質インデックスが第１のＭＣＳを示し、前記プロセッサ回路による実行のための前記選択コンポーネントが、前記第１のＭＣＳを選択すること、又は、前記定義された基準リソースの前記ＣＲＳオーバヘッドと前記１つ又は複数のリソースブロックの前記ＣＲＳオーバヘッドとの間の前記差異に基づいて第２のＭＣＳを特定して選択すること、のいずれかを行う、請求項１に記載のｅＮＢ。
【請求項４】
前記プロセッサ回路による実行のための前記選択コンポーネントが、前記ＭＣＳを選択する時に、前記ＰＤＳＣＨの中に実装された拡張物理下りリンク制御チャネル（ＥＰＤＣＣＨ）を補償する、請求項１に記載のｅＮＢ。
【請求項５】
前記１つ又は複数のリソースブロックの前記ＣＲＳオーバヘッドが、当該ｅＮＢにより使用されるＣＲＳアンテナポートの数に対応する、請求項１に記載のｅＮＢ。
【請求項６】
前記チャネル品質インデックスが、チャネル品質指標（ＣＱＩ）インデックスを含む、請求項１に記載のｅＮＢ。
【請求項７】
前記定義された基準リソースが、チャネル状態情報（ＣＳＩ）基準リソースを含む、請求項１に記載のｅＮＢ。
【請求項８】
一組の命令を含む少なくとも１つのコンピュータプログラムであって、前記命令が計算装置によって実行されることに応答して、前記計算装置に、
進化型ノードＢ（ｅＮＢ）において、物理下りリンク共有チャネル（ＰＤＳＣＨ）に対するチャネル品質指標（ＣＱＩ）インデックスを受信させ、
前記ＰＤＳＣＨの１つ又は複数のリソースブロックの拡張物理下りリンク制御チャネル（ＥＰＤＣＣＨ）オーバヘッドを判定させ、
前記ＣＱＩインデックス及び前記ＥＰＤＣＣＨオーバヘッドに基づいて１つ又は複数のリソースブロックによるメッセージの伝送のための変調及び符号化方法（ＭＣＳ）を選択させる、少なくとも１つのコンピュータプログラム。
【請求項９】
前記ＥＰＤＣＣＨオーバヘッドが、前記ＰＤＳＣＨに対して設定される１つ又は複数のＥＰＤＣＣＨ物理リソースブロック（ＰＲＢ）セットに対応する、請求項８に記載の少なくとも１つのコンピュータプログラム。
【請求項１０】
前記計算装置によって実行されることに応答して、前記計算装置に、前記１つ又は複数のリソースブロックにおける一組のリソースエレメント（ＲＥ）によって前記メッセージを送信させる命令を含む、請求項８に記載の少なくとも１つのコンピュータプログラム。
【請求項１１】
前記ＣＱＩインデックスが、ＥＰＤＣＣＨオーバヘッドを含まないように定義されたチャネル状態情報（ＣＳＩ）基準リソースに対応する、請求項８に記載の少なくとも１つのコンピュータプログラム。
【請求項１２】
前記計算装置によって実行されることに応答して、前記計算装置に、
１つ又は複数のリソースブロックのセル固有参照信号（ＣＲＳ）オーバヘッドを判定させ、
前記ＣＱＩインデックス、前記ＥＰＤＣＣＨオーバヘッド、及び前記ＣＲＳオーバヘッドに基づいて前記ＭＣＳを選択させる命令を含む、請求項８に記載の少なくとも１つのコンピュータプログラム。
【請求項１３】
請求項８から請求項１２のいずれか一項に記載の少なくとも１つのコンピュータプログラムを記憶したコンピュータ読み取り可能な記憶媒体。
【発明の詳細な説明】
【技術分野】
【０００１】
この文献における実施例は、一般に無線移動広帯域通信に関する。
【０００２】
この出願は、２０１３年１月３日に出願された米国仮特許出願第61/748,706号に対する優先権を主張するとともに、この結果、参照によりその全体がここに組み込まれている。
【背景技術】
【０００３】
進化型ユニバーサル移動体通信システム（ＵＭＴＳ）地上無線アクセスネットワーク（Ｅ−ＵＴＲＡＮ）のような無線通信アクセスネットワーク（wireless  radio  access  network）では、進化型ノードＢ（ｅＮＢ）がメッセージをユーザ装置（ＵＥ）に送信する場合に適切な変調及び符号化方法（modulation  and  coding  scheme：ＭＣＳ）を使用することを可能にするために、チャネル品質フィードバック方式が実施され得る。いくつかのそのような方式によれば、ＵＥは、周期的に及び／又は非周期的にチャネル品質指標（channel  quality  indicator：ＣＱＩ）インデックスを、それらＵＥのサービングｅＮＢに送信し得る。各ＣＱＩインデックスは、ＣＱＩインデックスのＵＥが特定のサブフレームの間のｅＮＢから当該ＵＥへのメッセージの将来の伝送における使用に適していることを期待するＭＣＳを表示し得る。
【０００４】
いくつかの場合において、各送信されたメッセージは、１つ又は複数のリソースブロック内の１つ又は複数のリソースエレメント（ＲＥ）として送信され得るとともに、実際に特定のメッセージを送信することに最も適しているＭＣＳは、メッセージを含むリソースブロックの構造によって決まり得る。ＵＥはそのようなリソースブロックの実際の構造を、リソースブロックが受信される後まで知ることができないので、ＵＥは、チャネル状態情報（channel  state  information：ＣＳＩ）基準リソースを定義し、ＣＳＩ基準リソースに基づいてＣＱＩインデックスを選択することができる。ＣＱＩインデックスの関連したＵＥは、特定のサブフレームの間にリソースブロックによって将来のメッセージを受信することを期待することができ、各ＣＳＩ基準リソースは、当該リソースブロックに対する一般的な期待される構造を含むことができる。一度、ＵＥが所定のサブフレームのためのＣＳＩ基準リソースを定義すれば、ＵＥは、ＣＳＩ基準リソースに基づいて当該サブフレームのためのＣＱＩインデックスを選択し得る。
【発明の概要】
【発明が解決しようとする課題】
【０００５】
いくつかの無線通信アクセスネットワークでは、特定の特徴の使用は、メッセージをＵＥに伝送するリソースブロックの構造に影響を及ぼすかもしれない。例えば、拡張物理下りリンク制御チャネル（enhanced  physical  downlink  control  channel：ＥＰＤＣＣＨ）がＥ−ＵＴＲＡＮの物理下りリンク共有チャネル（physical  downlink  shared  channel：ＰＤＳＣＨ）の中に実装される場合に、ＰＤＳＣＨリソースブロック内のいくつかのＲＥは、ＥＰＤＣＣＨに割り当てられ得る。別の実例では、あらゆる特定のＰＤＳＣＨリソースブロックに関して、セル固有参照信号（cell-specific  reference  signal：ＣＲＳ）を含むＲＥの数は、当該ＰＤＳＣＨリソースブロックを送信するｅＮＢに対して設定されるＣＲＳアンテナポートの数によって決まり得る。適切なＭＣＳ選択を可能にするために、ＵＥにおけるＣＳＩ基準リソースの定義にそのような影響を組み込むことによって、又はｅＮＢ側でそのような影響を補償することによって、ＣＱＩインデックスの報告及び／又は解釈と関連して、そのような影響を排除することが望ましいかもしれない。
【図面の簡単な説明】
【０００６】
【図１】動作環境の一実施例を例示する図である。
【図２】第１の機器の一実施例、及び第１のシステムの一実施例を例示する図である。
【図３】第１の論理フローの一実施例を例示する図である。
【図４】第２の機器の一実施例、及び第２のシステムの一実施例を例示する図である。
【図５】第２の論理フローの一実施例を例示する図である。
【図６】記憶媒体の一実施例を例示する図である。
【図７】コンピューティングアーキテクチャの一実施例を例示する図である。
【図８】通信システムの一実施例を例示する図である。
【発明を実施するための形態】
【０００７】
各種の実施例は一般に改良されたチャネル品質情報フィードバック方式を対象とする。一実施例において、例えば進化型ノードＢ（ｅＮＢ）は、プロセッサ回路と、物理下りリンク共有チャネル（ＰＤＳＣＨ）に対するチャネル品質インデックスであって、定義された基準リソースと関連付けられたチャネル品質インデックスを受信する、プロセッサ回路による実行のための通信コンポーネントと、ＰＤＳＣＨを介した１つ又は複数のリソースブロックでのユーザ装置（ＵＥ）データの伝送のための変調及び符号化方法（ＭＣＳ）を選択し、ＭＣＳを選択する時に、定義された基準リソースのセル固有参照信号（ＣＲＳ）オーバヘッドと１つ又は複数のリソースブロックのＣＲＳオーバヘッドとの間の差異を補償する、プロセッサ回路による実行のための選択コンポーネントとを備え得る。他の実施例が説明されて権利請求される。
【０００８】
各種の実施例は、１つ又は複数の構成要素を含み得る。構成要素は、特定の動作を実行するように配置されたあらゆる構造を含み得る。各構成要素は、一連の所定の設計パラメータ又は性能の制約に対する要求どおりに、ハードウェア、ソフトウェア、又はこれらのあらゆる組み合わせとして実施され得る。実施例は、一例として、特定の接続形態（topology）における限られた数の構成要素によって説明され得るが、実施例は、所定の実装例に対する要求どおりに、代わりの接続形態において、より多い構成要素、又はより少ない構成要素を含み得る。「一実施例」又は「実施例」に対するあらゆる言及が、実施例に関連して説明された特定の特徴、構造、又は特性が少なくとも一実施例に含まれることを意味する、ということは注目すべき点である。本明細書における様々な場所における「一実施例において」、「いくつかの実施例において」、及び「各種の実施例において」という語句の状況は、必ずしも全て同じ実施例を参照しているとは限らない。
【０００９】
ここで開示された技術は、１つ又は複数の無線移動広帯域技術を使用する１つ又は複数の無線接続を介したデータの伝送に関連し得る。例えば、各種の実施例は、改訂版、後継版、及び変形版を含む、１つ又は複数の第３世代パートナシッププロジェクト（３ＧＰＰ）技術及び／若しくは標準、３ＧＰＰロングタームエボリューション（ＬＴＥ）技術及び／若しくは標準、及び／又は、３ＧＰＰ  ＬＴＥ−Ａｄｖａｎｃｅｄ（ＬＴＥ−Ａ）技術及び／若しくは標準による１つ又は複数の無線接続を介した伝送に関連し得る。さらに特に、各種の実施例は、改訂版、後継版、及び変形版を含む、２０１２年Ｑ３に最初にリリースされた３ＧＰＰリリース１１に含まれる技術及び／又は標準による１つ又は複数の無線接続を介した伝送に関連し得る。下記では、そのような実施例は、“３ＧＰＰ  Ｒｅｌ−１１”実施例として参照されるものとする。
【００１０】
いくつかの実施例は、さらに又は代わりに、改訂版、後継版、及び変形版を含む、１つ又は複数のグローバルシステムフォーモバイルコミュニケーションズ（Global  System  for  Mobile  Communications：ＧＳＭ（登録商標））／ＧＳＭ進化型高速データレート（Enhanced  Data  Rates  for  GSM  Evolution：ＥＤＧＥ）技術及び／若しくは標準、ユニバーサル移動体通信システム（Universal  Mobile  Telecommunications  System：ＵＭＴＳ）／高速パケットアクセス（High  Speed  Packet  Access：ＨＳＰＡ）技術及び／若しくは標準、及び／又は、汎用パケット無線システムを備えたＧＳＭ（GSM  with  General  Packet  Radio  Service：ＧＰＲＳ）システム（ＧＳＭ／ＧＰＲＳ）技術及び／若しくは標準による伝送に関連し得る。無線移動広帯域技術の実例は、限定はしないが、同様に、改訂版、後継版、及び変形版を含む、米国電気電子学会（Institute  of  Electrical  and  Electronics  Engineers：ＩＥＥＥ）８０２．１６ｍ及び／若しくは８０２．１６ｐ技術及び／又は標準、国際移動体通信アドバンスト（International  Mobile  Telecommunications  Advanced：ＩＭＴ−ＡＤＶ）技術及び／又は標準、ワイマックス（Worldwide  Interoperability  for  Microwave  Access：ＷｉＭＡＸ）及び／若しくはＷｉＭＡＸ  II技術及び／又は標準、符号分割多重アクセス（Code  Division  Multiple  Access：ＣＤＭＡ）２０００（例えば、ＣＤＭＡ２０００  ｌｘＲＴＴ、ＣＤＭＡ２０００  ＥＶ‐ＤＯ、ＣＤＭＡ  ＥＶ−ＤＶなど）技術及び／又は標準、高性能無線メトロポリタンエリアネットワーク（High  Performance  Radio  Metropolitan  Area  Network：ＨＩＰＥＲＭＡＮ）技術及び／又は標準、ワイヤレスブロードバンド（Wireless  Broadband：ＷｉＢｒｏ（登録商標））技術及び／又は標準、高速ダウンリンクパケットアクセス（High  Speed  Downlink  Packet  Access：ＨＳＤＰＡ）技術及び／又は標準、高速直交周波数分割多重（Orthogonal  Frequency-Division  Multiplexing：ＯＦＤＭ）パケットアクセス（ＨＳＯＰＡ）技術及び／又は標準、高速アップリンクパケットアクセス（High-Speed  Uplink  Packet  Access：ＨＳＵＰＡ）技術及び／又は標準のいずれかを含んでいる。実施例は、この文脈に限定されない。
【００１１】
１つ又は複数の無線接続を介した伝送に加えて、ここで開示された技術は、１つ又は複数の有線通信媒体を通る１つ又は複数の有線接続を介したコンテンツの伝送に関連し得る。有線通信媒体の実例は、ワイヤ、ケーブル、金属リード線、プリント回路基板（ＰＣＢ）、バックプレーン、スイッチ構造（switch  fabric）、半導体材料、ツイストペアワイヤ、同軸ケーブル、光ファイバなどを含み得る。実施例は、この文脈に限定されない。
【００１２】
ここから、全体を通して同等の構成要素を参照するために同等の参照符号が使用される図面を参照する。下記の説明では、説明の目的のために、多数の特定の詳細が、それについての完全な理解を提供するために説明される。しかしながら、新奇な実施例がこれらの特定の詳細なしで実施され得るということは明白であり得る。他の場合において、周知の構造及び装置は、それについての説明を容易にするために、ブロック図形式で表示される。その意図は、権利請求された主題と一致している全ての修正物、等価物、及び代替物をカバーすることである。
【００１３】
図１は、各種の実施例を代表し得る動作環境１００の実例を例示する。図１において示されるように、移動機１０２は、固定型装置１０４と、上りリンクチャネル１０６、及び下りリンクチャネル１０８を介して通信する。いくつかの３ＧＰＰ  Ｒｅｌ−１１実施例では、移動機１０２は、ユーザ装置（ＵＥ）を含むことができ、固定型装置１０４は、進化型ノードＢ（ｅＮＢ）を含むことができ、上りリンクチャネル１０６は、物理上りリンク共有チャネル（physical  uplink  shared  channel：ＰＵＳＣＨ）、又は物理上りリンク制御チャネル（physical  uplink  control  channel：ＰＵＣＣＨ）を含むことができ、そして下りリンクチャネル１０８は、物理下りリンク共有チャネル（ＰＤＳＣＨ）を含むことができる。実施例は、この文脈に限定されない。
【００１４】
移動機１０２に対する下りリンクチャネル１０８によるデータの伝送における使用のための変調及び符号化方法のようなパラメータを決定するために、固定型装置１０４は、下りリンクチャネル１０８により基準信号１１０を移動機１０２に送信し得る。移動機１０２は、基準信号１１０に基づいて下りリンクチャネル１０８に対するチャネル推定を実行し、チャネル推定に基づいてチャネル品質インデックス１１２を選択し、そして上りリンクチャネル１０６によりチャネル品質インデックス１１２を固定型装置１０４に送信し得る。固定型装置１０４は、その場合に、下りリンクチャネル１０８によりメッセージ１１４を移動機１０２に送信するために、チャネル品質インデックス１１２によって定義されたパラメータを適用し得る。各種の３ＧＰＰ  Ｒｅｌ−１１実施例では、基準信号１１０は、１つ又は複数のリソースブロック内の１つ又は複数のリソースエレメント（ＲＥ）を含むことができ、そしてチャネル品質インデックス１１２は、チャネル品質指標（ＣＱＩ）インデックスを含むことができる。実施例は、この文脈に限定されない。
【００１５】
いくつかの実施例において、移動機１０２は、リソースブロックによってメッセージ１１４を受信することができ、当該リソースブロックの一般的な期待される構造を含む基準リソースを定義することができる。移動機１０２が下りリンクチャネル１０８により基準信号１１０を受信する際の品質に基づいて、移動機１０２は、その場合に、基準リソース内で固定型装置１０４から移動機１０２に仮に送信されたデータに関して特定のレベルの受信品質（received  quality）をもたらすであろうと移動機１０２が推定する伝送パラメータを定義するチャネル品質インデックス１１２を選択し得る。例えば、移動機１０２は、最も効率的な変調及び符号化方法により移動機１０２が１０％より大きくない伝送ブロック誤り確率で下りリンクチャネル１０８を介して基準リソース内でデータを受信することができるであろうと推定し、当該最も効率的な変調及び符号化方法を示すチャネル品質インデックス１１２を選択することができる。各種の３ＧＰＰ  Ｒｅｌ−１１実施例では、基準リソースは、チャネル状態情報（ＣＳＩ）基準リソースを含み得る。実施例は、この文脈に限定されない。
【００１６】
いくつかの実施例において、移動機１０２が基準リソース内でデータを受信するのに期待するであろう品質は、基準リソースの構造によって決まり得るとともに、したがって、チャネル品質インデックス１１２の選択は、基準リソースの構造によって決まり得る。例えば、各種の実施例において、移動機１０２が推定する受信品質レベルは、基準リソース内のいくつのＲＥが移動機１０２を対象としたデータを含むと仮定されるか、及びいくつのＲＥが様々な種類のオーバヘッドと関連付けられたデータを含むと仮定されるかによって決まり得る。いくつかの実施例において、移動機１０２は、したがって、移動機１０２を対象とするデータを含むと仮定される基準リソース内のリソースエレメント（ＲＥ）の数に一部分基づいてチャネル品質インデックス１１２を選択するように機能し得る。各種の実施例において、チャネル品質インデックス１１２の選択は、さらに又は代わりに、基準リソースの伝送発生源に関する１つ又は複数の仮定によって決まり得る。例えば、いくつかの実施例において、移動機１０２は、別の場所及び／又は固定型装置からよりむしろ、固定型装置１０４が基準信号１１０を送信した場所と同じ場所から基準リソースが送信されるという仮定に一部分基づいて、チャネル品質インデックス１１２を選択するように機能し得る。実施例は、この文脈に限定されない。
【００１７】
各種の実施例において、もしメッセージ１１４及び／又はそれらメッセージの伝送発生源を含むリソースブロックの構造が基準リソースと関連付けられた仮定と著しく異なるならば、選択されたチャネル品質インデックス１１２は、移動機１０２に対するメッセージ１１４の伝送に適している伝送パラメータを定義しないかもしれない。例えば、もしメッセージ１１４が、基準リソースに関して仮定された数に比べて、移動機１０２を対象とするデータを含んでいる異なる数のＲＥを含むならば、選択されたチャネル品質インデックス１１２は、メッセージ１１４の伝送に適していないかもしれない。別の実例において、もし基準リソースは基準信号１１０が送信された場所と同じ場所から送信されるということが仮定されているが、しかしその結果、メッセージ１１４が、基準信号１１０が送信された場所に比べて異なる場所から送信されるリソースブロックに含まれるならば、選択されたチャネル品質インデックス１１２は、メッセージ１１４の伝送に適していないかもしれない。実施例は、この実例に限定されない。
【００１８】
いくつかの実施例において、特定の特徴の使用は、下りリンクチャネルリソースブロックの構造、伝送発生源、及び／又は他の特性に影響を及ぼすかもしれない。例えば、各種の実施例において、下りリンクチャネル１０８の中に実装された下りリンク制御チャネルは、下りリンクチャネル１０８のリソースブロック内のＲＥを占有し得る。別の実例では、いくつかの実施例において、いくつかの下りリンクチャネルリソースブロックのＲＥは、固定型装置１０４の１つ又は複数のセル固有参照信号（ＣＲＳ）アンテナポートに対応する１つ又は複数のＣＲＳに割り当てられ得る。メッセージ１１４に対するＭＣＳのような伝送パラメータの適切な選択を可能にするために、移動機１０２におけるチャネル品質インデックス１１２の選択、及び／又は固定型装置１０４におけるチャネル品質インデックス１１２の解釈と関連して、そのような影響を排除することが望ましいかもしれない。
【００１９】
ここで開示されるのは、下りリンクチャネルリソースブロックの構造、伝送発生源、及び／又は他の特性に影響を及ぼす１つ又は複数の特徴を排除することにより、適切な伝送パラメータの選択を可能にし得る改良されたチャネル品質情報フィードバック方式である。各種の実施例において、そのような排除は、そのような特徴を排除するように基準リソースが定義され得る移動機側で実行され得る。いくつかの実施例において、そのような排除は、代わりに又はさらに、そのような特徴の補償が伝送パラメータ選択の間に実行され得る固定型装置側で実行され得る。実施例は、この文脈に限定されない。
【００２０】
図２は、各種の実施例における図１の移動機１０２の実例を含み得る機器２００のブロック図を例示する。さらに特に、機器２００は、例えば下りリンクチャネルリソースブロックの構造に影響を及ぼす特徴を排除するように基準リソースを定義するように構成され得る移動機の実例を含む。いくつかの３ＧＰＰ  Ｒｅｌ−１１実施例において、機器２００はＵＥを含み得る。図２において示されるように、機器２００は、プロセッサ回路２０２及びメモリユニット２０４を含む複数の構成要素を備える。しかしながら、実施例は、図２において示された構成要素の種類、数、又は配置に限定されない。
【００２１】
いくつかの実施例において、機器２００は、プロセッサ回路２０２を備え得る。プロセッサ回路２０２は、例えば、複合命令セットコンピュータ（complex  instruction  set  computer：ＣＩＳＣ）マイクロプロセッサ、縮小命令セットコンピューティング（reduced  instruction  set  computing：ＲＩＳＣ）マイクロプロセッサ、超長命令語（very  long  instruction  word：ＶＬＩＷ）マイクロプロセッサ、ｘ８６命令セット互換プロセッサ（x86  instruction  set  compatible  processor）、命令セットの組み合わせを実行するプロセッサ、デュアルコアプロセッサ若しくはデュアルコアモバイルプロセッサのようなマルチコアプロセッサ、又は他のマイクロプロセッサ若しくは中央演算処理装置（ＣＰＵ）のような、あらゆるプロセッサ又は論理回路を用いて実施され得る。プロセッサ回路２０２は、同様に、例えば、コントローラ、マイクロコントローラ、埋め込みプロセッサ、チップマルチプロセッサ（chip  multiprocessor：ＣＭＰ）、コプロセッサ、デジタルシグナルプロセッサ（digital  signal  processor：ＤＳＰ）、ネットワークプロセッサ、メディアプロセッサ、入出力（Ｉ／Ｏ）プロセッサ、メディアアクセス制御（media  access  control：ＭＡＣ）プロセッサ、無線ベースバンドプロセッサ、特定用途向け集積回路（application  specific  integrated  circuit：ＡＳＩＣ）、フィールドプログラマブルゲートアレイ（field  programmable  gate  array：ＦＰＧＡ）、プログラマブルロジックデバイス（programmable  logic  device：ＰＬＤ）などのような専用のプロセッサとして実施され得る。一実施例において、例えば、プロセッサ回路２０２は、カリフォルニアのサンタクララのＩｎｔｅｌ（登録商標）社によって作られたプロセッサのような汎用プロセッサとして実施され得る。実施例は、この文脈に限定されない。
【００２２】
各種の実施例において、機器２００は、メモリユニット２０４を備え得るか、又はメモリユニット２０４と通信可能に結合するように配置され得る。メモリユニット２０４は、揮発性のメモリ及び不揮発性のメモリの両方を含んでいる、データを格納することが可能であるあらゆる機械読み取り可能媒体又はコンピュータ読み取り可能媒体を使用して実施され得る。例えば、メモリユニット２０４は、読み取り専用メモリ（ＲＯＭ）、ランダムアクセスメモリ（ＲＡＭ）、ダイナミックＲＡＭ（ＤＲＡＭ）、ダブルデータレートＤＲＡＭ（ＤＤＲＡＭ）、シンクロナスＤＲＡＭ（ＳＤＲＡＭ）、スタティックＲＡＭ（ＳＲＡＭ）、プログラマブルＲＯＭ（ＰＲＯＭ）、消去可能プログラマブルＲＯＭ（ＥＰＲＯＭ）、電気的消去可能プログラマブルＲＯＭ（ＥＥＰＲＯＭ）、フラッシュメモリ、強誘電性ポリマーメモリのようなポリマーメモリ、オボニックメモリ（ovonic  memory）、位相変化又は強誘電性メモリ（phase  change  or  ferroelectric  memory）、シリコン−酸化物−窒化物−酸化物−シリコン（silicon-oxide-nitride-oxide-silicon：ＳＯＮＯＳ）メモリ、磁気若しくは光学カード（magnetic  or  optical  cards）、又は情報を格納することに適しているあらゆる他の種類の媒体を含み得る。メモリユニット２０４のいくつかの部分又は全てが、プロセッサ回路２０２と同じ集積回路に含まれ得るか、又はその代わりに、メモリユニット２０４のいくつかの部分又は全てが、プロセッサ回路２０２の集積回路の外部にある集積回路又は他の媒体、例えばハードディスクドライブ上に配置され得るということは注目に値する。メモリユニット２０４が図２における機器２００の中で含まれるが、いくつかの実施例において、メモリユニット２０４は、機器２００の外部にあり得る。実施例は、この文脈に限定されない。
【００２３】
図２は、同様に、システム２４０のブロック図を例示する。システム２４０は、機器２００の前述の構成要素のうちのいずれかを備え得る。システム２４０は、１つ又は複数の追加のコンポーネントを更に備え得る。例えば、各種の実施例において、システム２４０は、無線周波数（ＲＦ）トランシーバ２４４を備え得る。ＲＦトランシーバ２４４は、様々な適切な無線通信方式を使用して信号を送信及び受信することが可能である１つ又は複数の無線装置を含み得る。そのような方式は、１つ又は複数の無線ネットワークを横断する通信に関連し得る。代表的な無線ネットワークは、ワイヤレスローカルエリアネットワーク（ＷＬＡＮ）、ワイヤレスパーソナルエリアネットワーク（ＷＰＡＮ）、ワイヤレスメトロポリタンエリアネットワーク（ＷＭＡＮ）、セルラーネットワーク、及び衛星ネットワークを含む（が、しかしそれらネットワークに限定されない）。そのようなネットワークを横断して通信する際、ＲＦトランシーバ２４４は、あらゆるバージョンにおける１つ又は複数の適切な標準に従って動作し得る。実施例は、この文脈に限定されない。
【００２４】
いくつかの実施例において、システム２４０は、１つ又は複数のＲＦアンテナ２５７を備え得る。あらゆる特定のＲＦアンテナ２５７の実例は、内部アンテナ、無指向性アンテナ、モノポールアンテナ、ダイポールアンテナ、エンドフェッドアンテナ（end-fed  antenna）、円偏波アンテナ、マイクロストリップアンテナ、ダイバシティアンテナ、デュアルアンテナ、トライバンドアンテナ（tri-band  antenna）、クワッドバンドアンテナ（quad-band  antenna）などを含み得る。実施例は、これらの実例に限定されない。
【００２５】
各種の実施例において、システム２４０は、表示装置２４５を含み得る。表示装置２４５は、プロセッサ回路２０２から受け取った情報を表示することが可能であるあらゆる表示デバイスを含み得る。表示装置２４５に対する実例は、テレビ受信機、モニタ、プロジェクタ、及びコンピュータスクリーンを含み得る。一実施例において、例えば、表示装置２４５は、液晶表示装置（ＬＣＤ）、発光ダイオード（ＬＥＤ）、又は他の種類の適切な視覚インタフェースによって実施され得る。表示装置２４５は、例えば、タッチ感応表示画面（“タッチスクリーン”）を含み得る。各種の実装例において、表示装置２４５は、埋め込みトランジスタを含んでいる１つ又は複数の薄膜トランジスタ（ＴＦＴ）ＬＣＤを含み得る。実施例は、この文脈に限定されない。
【００２６】
一般的な動作において、機器２００及び／又はシステム２４０は、固定型装置２５０に対する伝送のために、チャネル品質インデックス２０６を選択するように機能し得る。各種の実施例において、チャネル品質インデックス２０６は、データを機器２００及び／又はシステム２４０に送信する際の固定型装置２５０による使用のための１つ若しくは複数の伝送パラメータを示している情報、及び／又は、当該１つ若しくは複数の伝送パラメータに対応する情報を含み得る。例えば、いくつかの実施例において、チャネル品質インデックス２０６は、固定型装置２５０によって使用されるべき変調及び符号化方法に対応するインデックス番号を含み得る。各種の３ＧＰＰ  Ｒｅｌ−１１実施例において、チャネル品質インデックス２０６は、チャネル品質指標（ＣＱＩ）インデックスを含み得る。実施例は、この文脈に限定されない。
【００２７】
いくつかの実施例において、機器２００及び／又はシステム２４０は、通信コンポーネント２０８を備え得る。通信コンポーネント２０８は、固定型装置２５０にメッセージを送信する、及び／又は固定型装置２５０からメッセージを受信するように機能するロジック、回路、及び／又は命令を含み得る。各種の実施例において、通信コンポーネント２０８は、ＲＦトランシーバ２４４及び１つ又は複数のＲＦアンテナ２５７によって、メッセージを送信する、及び／又はメッセージを受信するように機能し得る。いくつかの実施例において、通信コンポーネント２０８は、１つ又は複数の無線通信標準に従って、メッセージを生成する、及び／又はメッセージを処理するように機能し得る。例えば、各種の３ＧＰＰ  Ｒｅｌ−１１実施例において、通信コンポーネント２０８は、１つ又は複数の３ＧＰＰ仕様書に従って、メッセージを生成する、及び／又はメッセージを処理するように機能し得る。実施例は、この文脈に限定されない。
【００２８】
各種の実施例において、通信コンポーネント２０８は、固定型装置２５０から基準信号２１０を受信するように機能し得る。いくつかの実施例において、基準信号２１０は、固定型装置２５０から機器２００及び／又はシステム２４０に対する下りリンクチャネル２１２の品質を推定するために機器２００及び／又はシステム２４０によって使用するための信号を含み得る。各種の実施例において、基準信号２１０は、固定型装置２５０によって、下りリンクチャネル２１２を介して送信された１つ又は複数のサブフレーム及び／又はフレームにおける１つ又は複数のリソースエレメント及び／又はリソースブロック内の情報を含み得る。いくつかの３ＧＰＰ  Ｒｅｌ−１１実施例において、基準信号２１０は、チャネル状態情報基準信号（channel  state  information  reference  signal：ＣＳＩ−ＲＳ）、及びチャネル状態情報干渉測定（channel  state  information  interference  measurementＣＳＩ−ＩＭ）リソースを含み得る。各種の実施例において、下りリンクチャネル２１２は、共有チャネルを含み得る。例えば、いくつかの３ＧＰＰ  Ｒｅｌ−１１実施例において、下りリンクチャネル２１２は、ＰＤＳＣＨを含み得る。実施例は、この文脈に限定されない。
【００２９】
各種の実施例において、機器２００及び／又はシステム２４０は、判定コンポーネント２１４を備え得る。判定コンポーネント２１４は、基準信号２１０に対する受信品質パラメータ２１６を判定するように機能するロジック、回路、及び／又は命令を含み得る。いくつかの実施例において、受信品質パラメータ２１６は、下りリンクチャネル２１２に対する推定されたチャネル品質を含み得る。各種の実施例において、判定コンポーネント２１４は、判定コンポーネント２１４が基準信号２１０の様々なリソースエレメントを受信する際の電力に基づいて、受信品質パラメータ２１６を判定するように機能し得る。いくつかの３ＧＰＰ  Ｒｅｌ−１１実施例において、受信品質パラメータ２１６は、ＣＳＩ−ＲＳに対するチャネル測定値、及びＣＳＩ−ＩＭリソースに対する干渉測定値を含み得る。実施例は、この文脈に限定されない。
【００３０】
各種の実施例において、判定コンポーネント２１４は、下りリンクチャネル２１２に対する基準リソース２１８を定義するように機能し得る。機器２００及び／又はシステム２４０は、リソースブロックによって下りリンクチャネル２１２を介して将来メッセージを受信することができ、基準リソース２１８は、当該リソースブロックの一般的な期待される構造を含むことができる。いくつかの３ＧＰＰ  Ｒｅｌ−１１実施例において、基準リソース２１８は、ＣＳＩ基準リソースを含み得る。各種の実施例において、判定コンポーネント２１４は、データＲＥ２２０及びオーバヘッドＲＥ２２２を含むように基準リソース２１８を定義するように機能し得る。データＲＥ２２０は、基準リソース２１８により将来送信されるメッセージを伝える際の使用に割り当てられると定義される、基準リソース２１８のＲＥを含むことができ、一方、オーバヘッドＲＥ２２２は、各種の無線ネットワーク機能を実施する際の使用に割り当てられるＲＥを含むことができる。いくつかの実施例において、基準リソース２１８におけるデータＲＥ２２０の数は、基準リソース２１８におけるオーバヘッドＲＥ２２２の数によって決まり得る。各種の実施例において、判定コンポーネント２１４は、あらゆる設定された無線ネットワーク機能によって必要とされる全てのオーバヘッドＲＥ２２２を割り当て、それから基準リソース２１８において残っている利用可能なＲＥをデータＲＥ２２０として指定することによって基準リソース２１８を定義するように機能し得る。実施例は、この文脈に限定されない。
【００３１】
いくつかの実施例において、判定コンポーネント２１４は、下りリンクチャネル２１２の中に実装された下りリンク制御チャネルに割り当てられる１つ又は複数のオーバヘッドＲＥ２２２を含むように基準リソース２１８を定義するように機能し得る。各種の３ＧＰＰ  Ｒｅｌ−１１実施例において、下りリンク制御チャネルは、拡張物理下りリンク制御チャネル（ＥＰＤＣＣＨ）を含み得る。いくつかの３ＧＰＰ  Ｒｅｌ−１１実施例において、機器２００及び／又はシステム２４０は、ＥＰＤＣＣＨ物理リソースブロック（ＰＲＢ）セット０及びＥＰＤＣＣＨ−ＰＲＢセット１のうちの１つ又は両方によって設定されるＵＥを含み得る。各種の３ＧＰＰ  Ｒｅｌ−１１実施例において、判定コンポーネント２１４は、ＥＰＤＣＣＨ−ＰＲＢセット０に割り当てられる１つ又は複数のオーバヘッドＲＥ２２２を含むように基準リソース２１８を定義するように機能し得る。いくつかの３ＧＰＰ  Ｒｅｌ−１１実施例において、判定コンポーネント２１４は、ＥＰＤＣＣＨ−ＰＲＢセット１に割り当てられる１つ又は複数のオーバヘッドＲＥ２２２を含むように基準リソース２１８を定義するように機能し得る。各種の３ＧＰＰ  Ｒｅｌ−１１実施例において、判定コンポーネント２１４は、ＥＰＤＣＣＨ−ＰＲＢセット０に割り当てられる１つ又は複数のオーバヘッドＲＥ２２２を含むように、そしてＥＰＤＣＣＨ−ＰＲＢセット１に割り当てられる１つ又は複数のオーバヘッドＲＥ２２２を同様に含むように基準リソース２１８を定義するように機能し得る。実施例は、この文脈に限定されない。
【００３２】
いくつかの実施例において、例えば下りリンクチャネル２１２の中の下りリンク制御チャネルの実装を排除するように基準リソース２１８を定義するよりむしろ、判定コンポーネント２１４が、下りリンク制御チャネルが実装されるかどうかに対する考慮なしで基準リソース２１８を定義するように機能し得る、ということは注目に値する。各種のそのような実施例において、判定コンポーネント２１４は、基準リソース２１８におけるオーバヘッドＲＥ２２２が下りリンク制御チャネルに割り当てられないように基準リソース２１８を定義するように機能し得る。例えば、いくつかの３ＧＰＰ  Ｒｅｌ−１１実施例において、判定コンポーネント２１４は、ＥＰＤＣＣＨオーバヘッドを含むＲＥをオーバヘッドＲＥ２２２が含まないように基準リソース２１８を定義するように機能し得る。そのような実施例において、ＥＰＤＣＣＨの使用に対する補償は、ｅＮＢ側で実行され得る。実施例は、この文脈に限定されない。
【００３３】
各種の実施例において、判定コンポーネント２１４は、セル固有参照信号（ＣＲＳ）オーバヘッドを含んでいる１つ又は複数のオーバヘッドＲＥ２２２を含むように基準リソース２１８を定義するように機能し得る。いくつかの３ＧＰＰ  Ｒｅｌ−１１実施例において、判定コンポーネント２１４は、機器２００及び／又はシステム２４０に対するＣＳＩ処理と関連して基準リソース２１８を定義するように機能することができ、ＣＳＩ処理は、ＰＭＩ／ＲＩ報告によって構成されることができる。各種の３ＧＰＰ  Ｒｅｌ−１１実施例において、判定コンポーネント２１４は、機器２００及び／又はシステム２４０のサービングセルに対して設定される複数のＣＲＳアンテナポートに対応する複数のＣＲＳオーバヘッドＲＥ２２２を含むように基準リソース２１８を定義するように機能し得る。いくつかの３ＧＰＰ  Ｒｅｌ−１１実施例において、判定コンポーネント２１４は、最も小さいインデックス値を有するＰＱＩ（PDSCH  RE  mapping  and  quasi-co-location  indicator：ＰＤＳＣＨ  ＲＥマッピング及び疑似コロケーション指標）状態と関連付けられた複数のＣＲＳアンテナポートに対応する複数のＣＲＳオーバヘッドＲＥ２２２を含むように基準リソース２１８を定義するように機能し得る。各種の３ＧＰＰ  Ｒｅｌ−１１実施例において、あらゆる所定のＣＳＩ処理に関して、判定コンポーネント２１４は、当該ＣＳＩ処理のための非ゼロ電力（non-zero  power：ＮＺＰ）ＣＳＩ−ＲＳと関連付けられた複数のＣＲＳアンテナポートに対応する複数のＣＲＳオーバヘッドＲＥ２２２を含むように基準リソース２１８を定義するように機能し得る。実施例は、この文脈に限定されない。
【００３４】
いくつかの実施例において、機器２００及び／又はシステム２４０は、選択コンポーネント２２４を備え得る。選択コンポーネント２２４は、固定型装置２５０に対する伝送のためのチャネル品質インデックス２０６を選択するように機能するロジック、回路、及び／又は命令を含み得る。各種の実施例において、選択コンポーネント２２４は、受信品質パラメータ２１６に基づいて、そして判定コンポーネント２１４により定義される基準リソース２１８に基づいてチャネル品質インデックス２０６を選択するように機能し得る。いくつかの実施例において、選択コンポーネント２２４は、最も効率的なＭＣＳにより特定のレベルの正確度及び／又は品質でメッセージが基準リソース２１８によって受信されることができるであろうと推定し、当該最も効率的なＭＣＳを示すチャネル品質インデックス２０６を選択するように機能することができる。例えば、各種の３ＧＰＰ  Ｒｅｌ−１１実施例において、選択コンポーネント２２４は、最も効率的なＭＣＳにより１０％より大きくない伝送ブロック誤り確率でメッセージが基準リソース２１８によって受信されることができるであろうと推定し、当該最も効率的なＭＣＳを示すＣＱＩインデックスを含むチャネル品質インデックス２０６を選択するように機能することができる。実施例は、この実例に限定されない。
【００３５】
いくつかの実施例において、通信コンポーネント２０８は、チャネル品質インデックス２０６を固定型装置２５０に送信するように機能し得る。各種の実施例において、通信コンポーネント２０８は、上りリンクチャネル２２０を介してチャネル品質インデックス２０６を固定型装置２５０に送信するように機能し得る。いくつかの３ＧＰＰ  Ｒｅｌ−１１実施例において、上りリンクチャネル２２０は、ＰＵＳＣＨ又はＰＵＣＣＨを含み得る。実施例は、この文脈に限定されない。
【００３６】
上述の実施例に対する動作は、下記の図面及び添付の実例を参照して更に説明され得る。いくつかの図面は、論理フローを含み得る。ここで提示されたそのような図面は特定の論理フローを含むかもしれないが、論理フローはここで説明された一般的な機能性がどのように実施され得るかの実例を単に提供する、ということが認識され得る。さらに、与えられた論理フローは、特に明記しない限り、提示された順序で必ずしも実行される必要があるというわけではない。加えて、与えられた論理フローは、ハードウェアエレメント、プロセッサにより実行されるソフトウェアエレメント、又はそれらエレメントのあらゆる組み合わせによって実施され得る。実施例は、この文脈に限定されない。
【００３７】
図３は、ここで説明された１つ又は複数の実施例により実行される動作を代表し得る論理フロー３００の一実施例を例示する。さらに特に、論理フロー３００は、図２の機器２００及び／又はシステム２４０がチャネル品質インデックス２０６の選択と関連して実行し得る動作の実例を含み得る。図３において示されるように、符号３０２において、基準信号が受信され得る。例えば、通信コンポーネント２０８は、下りリンクチャネル２１２を介して基準信号２１０を受信するように機能し得る。符号３０４において、受信品質パラメータが基準信号に対して判定され得る。例えば、図２の判定コンポーネント２１４は、基準信号２１０を受信する際の電力に基づいて受信品質パラメータ２１６を判定するように機能し得る。符号３０６において、基準リソースが、下りリンクチャネルに対して定義され得る。例えば、図２の判定コンポーネント２１４は、下りリンクチャネル２１２に対して基準リソース２１８を定義するように機能し得る。各種の実施例において、基準リソースは、下りリンクチャネルの中に実装された下りリンク制御チャネルに割り当てられた１つ又は複数のＲＥを含むように定義され得る。いくつかの実施例において、基準リソースは、一組のＣＲＳオーバヘッドＲＥを含むように定義され得る。
【００３８】
符号３０８において、チャネル品質インデックスが、受信品質パラメータ及び基準リソースに基づいて選択され得る。例えば、図２の選択コンポーネント２２４は、受信品質パラメータ２１６及び基準リソース２１８に基づいてチャネル品質インデックス２０６を選択するように機能し得る。符号３１０において、チャネル品質インデックスが、上りリンクチャネルを介して送信され得る。例えば、図２の通信コンポーネント２０８は、上りリンクチャネル２２０を介してチャネル品質インデックス２０６を送信するようにＲＦトランシーバ２４４に作用し得る。実施例は、これらの実例に限定されない。
【００３９】
図４は、図１の固定型装置１０４及び／又は図２の固定型装置２５０の実例を含み得る機器４００の実施例を例示する。さらに特に、機器４００は、例えば下りリンクチャネルのリソースブロックの構造に影響を及ぼす特徴を排除するように下りリンクチャネルのための伝送パラメータを選択するように構成され得る固定型装置の実例を含み得る。各種の３ＧＰＰ  Ｒｅｌ−１１実施例において、機器４００はｅＮＢを含み得る。図４において示されるように、機器４００は、プロセッサ回路４０２及びメモリユニット４０４を含む複数の構成要素を備える。しかしながら、実施例は、図４において示された構成要素の種類、数、又は配置に限定されない。
【００４０】
いくつかの実施例において、機器４００は、プロセッサ回路４０２を備え得る。プロセッサ回路４０２は、あらゆるプロセッサ又は論理回路を用いて実施され得るとともに、図２のプロセッサ回路２０２と同じであるか、又は同類であり得る。各種の実施例において、機器４００は、メモリユニット４０４を備え得るか、又はメモリユニット４０４と通信可能に結合するように配置され得る。メモリユニット４０４は、揮発性のメモリ及び不揮発性のメモリの両方を含んでいる、データを格納することが可能であるあらゆる機械読み取り可能媒体又はコンピュータ読み取り可能媒体を使用して実施され得るとともに、図２のメモリユニット２０４と同じであるか、又は同類であり得る。
【００４１】
図４は、同様に、システム４４０のブロック図を例示する。システム４４０は、機器４００の前述の構成要素のうちのいずれかを備え得る。システム４４０は、１つ又は複数の追加のコンポーネントを更に備え得る。例えば、各種の実施例において、システム４４０は、無線周波数（ＲＦ）トランシーバ４４４を備え得る。ＲＦトランシーバ４４４は、様々な適切な無線通信方式を使用して信号を送信及び受信することが可能である１つ又は複数の無線装置を含み得るとともに、図２のＲＦトランシーバ２４４と同じであるか、又は同類であり得る。いくつかの実施例において、システム４４０は、１つ又は複数のＲＦアンテナ４５７を備え得る。あらゆる特定のＲＦアンテナ４５７の実例は、図２のＲＦアンテナ２５７に関して以前に言及された実例のうちのいずれかを含み得る。実施例は、この文脈に限定されない。
【００４２】
一般的な動作において、機器４００及び／又はシステム４４０は、下りリンクチャネル４１２を介してメッセージ４３５を移動機４５０に送信する際の使用のための１つ又は複数の伝送パラメータを選択するように機能し得る。いくつかの実施例において、１つ又は複数の伝送パラメータは変調及び符号化方法を含み得る。各種の３ＧＰＰ  Ｒｅｌ−１１実施例において、機器４００及び／又はシステム４４０はｅＮＢを含むことができ、移動機４５０はＵＥを含むことができ、そして下りリンクチャネル４１２はＰＤＳＣＨを含むことができる。いくつかの実施例において、機器４００及び／又はシステム４４０は、移動機４５０からチャネル品質インデックス４０６を受信し、そしてチャネル品質インデックス４０６に少なくとも一部分基づいて１つ又は複数の伝送パラメータを選択するように機能し得る。各種の３ＧＰＰ  Ｒｅｌ−１１実施例において、チャネル品質インデックス４０６はＣＱＩインデックスを含み得る。実施例は、この文脈に限定されない。
【００４３】
いくつかの実施例において、機器４００及び／又はシステム４４０は、通信コンポーネント４０８を備え得る。通信コンポーネント４０８は、移動機４５０にメッセージを送信する、及び／又は移動機４５０からメッセージを受信するように機能するロジック、回路、及び／又は命令を含み得る。各種の実施例において、通信コンポーネント４０８は、ＲＦトランシーバ４４４及び１つ又は複数のＲＦアンテナ４５７によって、メッセージを送信する、及び／又はメッセージを受信するように機能し得る。いくつかの実施例において、通信コンポーネント４０８は、１つ又は複数の無線通信標準に従って、メッセージを生成する、及び／又はメッセージを処理するように機能し得る。例えば、各種の３ＧＰＰ  Ｒｅｌ−１１実施例において、通信コンポーネント４０８は、１つ又は複数の３ＧＰＰ仕様書に従って、メッセージを生成する、及び／又はメッセージを処理するように機能し得る。実施例は、この文脈に限定されない。
【００４４】
各種の実施例において、通信コンポーネント４０８は、上りリンクチャネル４２０を介して移動機４５０からチャネル品質インデックス４０６を受信するように機能し得る。いくつかの３ＧＰＰ  Ｒｅｌ−１１実施例において、上りリンクチャネル４２０はＰＵＳＣＨ又はＰＵＣＣＨを含み得る。各種の実施例において、移動機４５０は、基準リソースを定義し、定義した基準リソースに基づいてチャネル品質インデックス４０６を選択し得る。いくつかの３ＧＰＰ  Ｒｅｌ−１１実施例において、基準リソースはＣＳＩ基準リソースを含み得る。各種のそのような実施例において、メッセージ４３５を送信するために使用されるべき下りリンクチャネル４１２のリソースブロックの構造は、１つ又は複数の種類のオーバヘッドが原因で、定義された基準リソースとは異なり得る。実施例は、この文脈に限定されない。
【００４５】
いくつかの実施例において、機器４００及び／又はシステム４４０は、判定コンポーネント４１４を備え得る。判定コンポーネント４１４は、下りリンクチャネル４１２のリソースブロックに対する１つ又は複数の種類のオーバヘッドを判定するように機能するロジック、回路、及び／又は命令を含み得る。各種の実施例において、１つ又は複数の種類のオーバヘッドは、１つ又は複数のリソースブロックにおける１つ又は複数のＲＥを占有し得る。
【００４６】
いくつかの実施例において、判定コンポーネント４１４は、下りリンクチャネル４１２内の下りリンク制御チャネルの実装に対応するオーバヘッドを判定するように機能し得る。各種の実施例において、判定コンポーネント４１４は、下りリンク制御チャネルに割り当てられる下りリンクチャネル４１２の各リソースブロックにおけるＲＥの数を判定するように機能し得る。いくつかの３ＧＰＰ  Ｒｅｌ−１１実施例において、下りリンク制御チャネルは拡張物理下りリンク制御チャネル（ＥＰＤＣＣＨ）を含み得る。各種の３ＧＰＰ  Ｒｅｌ−１１実施例において、チャネル品質インデックス４０６は、ＥＰＤＣＣＨオーバヘッドを含まないように定義されるＣＳＩ基準リソースに対応するＣＱＩインデックスを含み得る。いくつかの３ＧＰＰ  Ｒｅｌ−１１実施例において、判定コンポーネント４１４は、下りリンクチャネル４１２に対して設定される１つ又は複数のＥＰＤＣＣＨ物理リソースブロック（ＰＲＢ）セットに対応するＥＰＤＣＣＨオーバヘッドを判定するように機能し得る。各種の３ＧＰＰ  Ｒｅｌ−１１実施例において、判定コンポーネント４１４は、ＥＰＤＣＣＨ  ＰＲＢセット０、ＥＰＤＣＣＨ  ＰＲＢセット１、又はその両方に対応するＥＰＤＣＣＨオーバヘッドを判定するように機能し得る。実施例は、この文脈に限定されない。
【００４７】
いくつかの実施例において、判定コンポーネント４１４は、下りリンクチャネル４１２の１つ又は複数のリソースブロックに対するセル固有参照信号（ＣＲＳ）オーバヘッドを判定するように機能し得る。各種の実施例において、下りリンクチャネル４１２の１つ又は複数のリソースブロックに対するＣＲＳオーバヘッドは、機器４００及び／又はシステム４４０によって使用されるＣＲＳアンテナポートの数に対応し得る。いくつかの実施例において、１つ又は複数のリソースブロックに対するＣＲＳオーバヘッドは、チャネル品質インデックス４０６が選択される際の基準となる基準リソースに対するＣＲＳオーバヘッドと異なり得る。各種のそのような実施例において、１つ又は複数のリソースブロックにおけるＣＲＳ  ＲＥの数は、基準リソースにおけるＣＲＳ  ＲＥの数と異なり得る。いくつかの実施例において、基準リソースに対するＣＲＳオーバヘッドは、移動機４５０のサービングセルに対して設定される複数のＣＲＳアンテナポートに対応する複数のＲＥを含み得る。各種の実施例において、基準リソースに対するＣＲＳオーバヘッドは、最も小さいインデックス値を有するＰＱＩ（PDSCH  RE  mapping  and  quasi-co-location  indicator）状態と関連付けられた複数のＣＲＳアンテナポートに対応する複数のＲＥを含み得る。いくつかの実施例において、基準リソースに対するＣＲＳオーバヘッドは、移動機４５０のＣＳＩ処理のための非ゼロ電力（ＮＺＰ）ＣＳＩ−ＲＳと関連付けられた複数のＣＲＳアンテナポートに対応する複数のＲＥを含み得る。実施例は、この文脈に限定されない。
【００４８】
各種の実施例において、機器４００及び／又はシステム４４０は選択コンポーネント４２４を備え得る。選択コンポーネント４２４は、下りリンクチャネル４１２を介した移動機４５０に対するメッセージ４３５の伝送のための変調及び符号化方法（ＭＣＳ）を選択するように機能するロジック、回路、及び／又は命令を含み得る。いくつかの３ＧＰＰ  Ｒｅｌ−１１実施例において、メッセージ４３５は、１つ又は複数のＰＤＳＣＨリソースブロックにＵＥデータを含み得る。実施例は、この文脈に限定されない。
【００４９】
各種の実施例において、選択コンポーネント４２４は、下りリンク制御チャネルオーバヘッドに関するチャネル品質インデックス４０６、及び／又は判定コンポーネント４１４により判定されたＣＲＳオーバヘッドに基づいてＭＣＳを選択するように機能し得る。例えば、いくつかの３ＧＰＰ  Ｒｅｌ−１１実施例において、選択コンポーネント４２４は、判定されたＥＰＤＣＣＨオーバヘッド、及びメッセージ４３５を送信するために使用されるべきＰＤＳＣＨリソースブロックに対する判定されたＣＲＳオーバヘッドに基づいてＭＣＳを選択するように機能し得る。各種の３ＧＰＰ  Ｒｅｌ−１１実施例において、選択コンポーネント４２４は、ＭＣＳを選択する時に、基準リソースのＣＲＳオーバヘッドとＰＤＳＣＨリソースブロックに対するＣＲＳオーバヘッドとの間の差異を補償するように機能し得る。いくつかのそのような３ＧＰＰ  Ｒｅｌ−１１実施例において、選択コンポーネント４２４は、基準リソースにおけるＣＲＳ  ＲＥの数と１つ又は複数のＰＤＳＣＨリソースブロックの各々におけるＣＲＳ  ＲＥの数との間の差異を補償するように機能し得る。各種の実施例において、チャネル品質インデックス４０６は第１のＭＣＳを示し得るとともに、選択コンポーネント４２４は、第１のＭＣＳを選択するか、又は、基準リソースのＣＲＳオーバヘッドと１つ又は複数のＰＤＳＣＨリソースブロックのＣＲＳオーバヘッドとの間の差異に基づいて、及び／若しくは判定されたＥＰＤＣＣＨオーバヘッドに基づいて第２のＭＣＳを特定して選択するか、のいずれかであるように機能し得る。実施例は、この文脈に限定されない。
【００５０】
いくつかの実施例において、通信コンポーネント４０８は、下りリンクチャネル４１２を介してメッセージ４３５を移動機４５０に送信するように機能し得る。各種の実施例において、通信コンポーネント４０８は、選択コンポーネント４２４により下りリンクチャネル４１２の１つ又は複数のリソースブロックのために選択されたＭＣＳを使用してメッセージ４３５を送信するように機能し得る。いくつかの実施例において、通信コンポーネント４０８は、１つ又は複数のリソースブロックの１つ又は複数のＲＥ内のデータとしてメッセージ４３５を送信するように機能し得る。実施例は、この文脈に限定されない。
【００５１】
図５は、ここで説明された１つ又は複数の実施例により実行される動作を代表し得る論理フロー５００の一実施例を例示する。さらに特に、論理フロー５００は、図４の機器４００及び／又はシステム４４０がメッセージ４３５の伝送のための変調及び符号化方法の選択と関連して実行し得る動作の実例を含み得る。図５において示されるように、符号５０２において、チャネル品質インデックスが受信され得る。例えば、図４の通信コンポーネント４０８は、上りリンクチャネル４２０を介して移動機４５０からチャネル品質インデックス４０６を受信するように機能し得る。符号５０４において、オーバヘッドが、下りリンクチャネルに対して判定され得る。例えば、図４の判定コンポーネント４１４は、下りリンクチャネル４１２の１つ又は複数のリソースブロックに対するオーバヘッドを判定するように機能し得る。各種の実施例において、オーバヘッドは、下りリンクチャネル内の下りリンク制御チャネルの実装と関連付けられたオーバヘッドを含み得る。いくつかの実施例において、オーバヘッドは、さらに又は代わりに、下りリンクチャネルの１つ又は複数のリソースブロックに対するＣＲＳオーバヘッドを含み得る。実施例は、この文脈に限定されない。
【００５２】
符号５０６において、変調及び符号化方法が、チャネル品質インデックス及び下りリンクチャネルに対するオーバヘッドに基づいて選択され得る。例えば、図４の選択コンポーネント４２４は、チャネル品質インデックス４０６に基づいて、そして判定コンポーネント４１４により判定されたオーバヘッドに基づいて、メッセージ４３５を送信する際の使用のための変調及び符号化方法を選択するように機能し得る。符号５０８において、メッセージが、選択された変調及び符号化方法を使用して下りリンクチャネルを介して送信される。例えば、図４の通信コンポーネント４０８は、下りリンクチャネル４１２の１つ又は複数のリソースブロックによってメッセージ４３５を移動機４５０に送信するように機能し得る。実施例は、これらの実例に限定されない。
【００５３】
図６は、記憶媒体６００の実施例を例示する。記憶媒体６００は、工業製品（article  of  manufacture）を含み得る。一実施例において、記憶媒体６００は、光記憶装置、磁気記憶装置、又は半導体記憶装置のようなあらゆる非一時的なコンピュータ読み取り可能媒体又は機械読み取り可能媒体を含み得る。記憶媒体は、論理フロー３００及び論理フロー５００のうちの１つ又は複数を実施する命令のような様々な種類のコンピュータ実行可能命令を格納し得る。コンピュータ読み取り可能又は機械読み取り可能記憶媒体の実例は、揮発性メモリ又は不揮発性メモリ、取り外し可能メモリ又は取り外し不可能メモリ、消去可能メモリ又は消去不能メモリ、書き込み可能メモリ又は再書き込み可能メモリなどを含んでいる、電子データを格納することが可能であるあらゆる有形の媒体を含み得る。コンピュータ実行可能命令の実例は、ソースコード、コンパイルされたコード（compiled  code）、解釈されたコード（interpreted  code）、実行可能コード、静的なコード、動的なコード、オブジェクト指向のコード（object-oriented  code）、視覚的コード（visual  code）などのようなあらゆる適切な種類のコードを含み得る。実施例は、この文脈に限定されない。
【００５４】
図７は、広帯域無線アクセスネットワークにおける使用のための装置７００の実施例を例示する。装置７００は、例えば、機器２００、システム２４０、機器４００、システム４４０、記憶媒体６００、及び／又は論理回路７２８を実施し得る。例えば、論理回路７２８は、機器２００又は機器４００に関して説明された動作を実行するための物理的な回路を含み得る。図７において示されるように、実施例は下記の構成に限定されないが、装置７００は、無線通信インタフェース７１０、ベースバンド回路７２０、及び計算プラットフォーム７３０を含み得る。
【００５５】
装置７００は、完全に単一の装置の内部のような単一のコンピューティングエンティティ（computing  entity）において、機器２００、システム２４０、機器４００、システム４４０、記憶媒体６００、及び／又は論理回路７２８のための構造及び／又は動作のうちのいくつか又は全てを実施し得る。その代わりに、装置７００は、クライアント−サーバアーキテクチャ、３層アーキテクチャ（3-tier  architecture）、Ｎ層アーキテクチャ、密結合又はクラスタ化アーキテクチャ（tightly-coupled  or  clustered  architecture）、ピアツーピアアーキテクチャ、マスタ−スレーブアーキテクチャ、共有データベースアーキテクチャ（shared  database  architecture）、及び他の種類の分散処理システムのような分散処理システムアーキテクチャを使用して、複数のコンピューティングエンティティのいたる所に機器２００、システム２４０、機器４００、システム４４０、記憶媒体６００、及び／又は論理回路７２８のための構造及び／又は動作の一部分を分散し得る。実施例は、この文脈に限定されない。
【００５６】
実施例は特定の無線の（over-the-air）インタフェース又は変調スキームに全く限定されないが、一実施例において、無線通信インタフェース７１０は、単一キャリア又はマルチキャリア変調された信号（例えば、相補型符号変調（complementary  code  keying：ＣＣＫ）シンボル及び／又は直交周波数分割多重（orthogonal  frequency  division  multiplexing：ＯＦＤＭ）シンボルを含んでいる）を送信すること及び／又は受信することに適当なコンポーネント、又はコンポーネントの組み合わせを含み得る。無線通信インタフェース７１０は、例えば、受信機７１２、周波数シンセサイザ７１４、及び／又は送信機７１６を含み得る。無線通信インタフェース７１０は、バイアス制御装置、水晶発振器、及び／又は１つ又は複数のアンテナ７１８−ｆを含み得る。別の実施例において、無線通信インタフェース７１０は、要求どおりに、外部の電圧制御発振器（voltage-controlled  oscillator：ＶＣＯ）、表面弾性波フィルタ、中間周波数（intermediate  frequency：ＩＦ）フィルタ、及び／又はＲＦフィルタを使用し得る。いろいろな可能性があるＲＦインタフェース設計に起因して、ＲＦインタフェース設計の拡張的な説明は省略される。
【００５７】
ベースバンド回路７２０は、受信信号及び／又は送信信号を処理するために、無線通信インタフェースと通信し得るとともに、例えば、受信された信号をダウンコンバートするためのＡ／Ｄ変換器７２２、送信用の信号をアップコンバートするためのＤ／Ａ変換器７２４を含み得る。さらに、ベースバンド回路７２０は、それぞれの受信信号／送信信号の物理層（physical  layer：ＰＨＹ）リンクレイヤ処理のためのベースバンド処理回路又はＰＨＹ処理回路７２６を含み得る。ベースバンド回路７２０は、例えば、媒体アクセス制御（medium  access  control：ＭＡＣ）／データリンク層処理のためのＭＡＣ処理回路７２７を含み得る。ベースバンド回路７２０は、ＭＡＣ処理回路７２７と通信するため、及び／又は、例えば１つ若しくは複数のインタフェース７３４により計算プラットフォーム７３０と通信するためのメモリコントローラ７３２を含み得る。
【００５８】
いくつかの実施例において、ＰＨＹ処理回路７２６は、通信フレーム及び／若しくはパケットを組み立てる、及び／又は、通信フレーム及び／若しくはパケットを分解するために、バッファメモリのような追加の回路と組み合わせてフレーム構築及び／又は検出モジュールを含み得る。その代わりに又はさらに、ＭＡＣ処理回路７２７は、これらの機能のうちのいくつかに関して処理を分担し得るか、又は、ＰＨＹ処理回路７２６から独立してこれらの処理を実行し得る。いくつかの実施例において、ＭＡＣ処理及びＰＨＹ処理は、単一の回路に統合され得る。
【００５９】
計算プラットフォーム７３０は、装置７００に計算機能性を提供し得る。図示されるように、計算プラットフォーム７３０は、処理コンポーネント７４０を含み得る。ベースバンド回路７２０に加えて、又はベースバンド回路７２０の代わりに、装置７００は、処理コンポーネント７４０を使用して、機器２００、システム２４０、機器４００、システム４４０、記憶媒体６００、及び／又は論理回路７２８のための処理動作又は処理ロジックを実行し得る。処理コンポーネント７４０（及び／又はＰＨＹ７２６、及び／又はＭＡＣ７２７）は、様々なハードウェアエレメント、ソフトウェアエレメント、又は両方の組み合わせを含み得る。ハードウェアエレメントの実例は、装置、論理回路、コンポーネント、プロセッサ、マイクロプロセッサ、回路、プロセッサ回路（例えば、プロセッサ回路２０２）、回路素子（例えば、トランジスタ、レジスタ、キャパシタ、インダクタなど）、集積回路、特定用途向け集積回路（ＡＳＩＣ）、プログラマブルロジックデバイス（ＰＬＤ）、デジタルシグナルプロセッサ（ＤＳＰ）、フィールドプログラマブルゲートアレイ（ＦＰＧＡ）、メモリユニット、論理ゲート、レジスタ、半導体素子、チップ、マイクロチップ、チップセットなどを含み得る。ソフトウェアエレメントの実例は、ソフトウェアコンポーネント、プログラム、アプリケーション、コンピュータプログラム、アプリケーションプログラム、システムプログラム、ソフトウェア開発プログラム、マシンプログラム、オペレーティングシステムソフトウエア、ミドルウェア、ファームウェア、ソフトウェアモジュール、ルーチン、サブルーチン、ファンクション（機能）、メソッド（方法）、プロシージャ（手順）、ソフトウェアインタフェース、アプリケーションプログラムインタフェース（ＡＰＩ）、命令セット、計算コード、コンピュータコード、コードセグメント、コンピュータコードセグメント、ワード（words）、値（values）、シンボル、又はそれらのあらゆる組み合わせを含み得る。実施例がハードウェアエレメント及び／又はソフトウェアエレメントを使用して実施されるかどうかを判定することは、所定の実装例に関して要求される所望の計算レート、電力レベル、耐熱性、処理サイクル量、入力データレート、出力データレート、メモリ資源、データバス速度、及び他の設計の制約又は性能の制約のようなあらゆる数の要因に従って変化し得る。
【００６０】
計算プラットフォーム７３０は、他のプラットフォームコンポーネント７５０をさらに含み得る。他のプラットフォームコンポーネント７５０は、１つ又は複数のプロセッサ、マルチコアプロセッサ、コプロセッサ、メモリユニット、チップセット、コントローラ、周辺装置、インタフェース、発振器、時間計測器、ビデオカード、オーディオカード、マルチメディア入出力（Ｉ／Ｏ）コンポーネント（例えば、デジタル表示装置）、電源などのような一般的な計算要素を含む。メモリユニットの実例は、限定されることなく、例えば、読み取り専用メモリ（ＲＯＭ）、ランダムアクセスメモリ（ＲＡＭ）、ダイナミックＲＡＭ（ＤＲＡＭ）、ダブルデータレートＤＲＡＭ（ＤＤＲＡＭ）、シンクロナスＤＲＡＭ（ＳＤＲＡＭ）、スタティックＲＡＭ（ＳＲＡＭ）、プログラマブルＲＯＭ（ＰＲＯＭ）、消去可能プログラマブルＲＯＭ（ＥＰＲＯＭ）、電気的消去可能プログラマブルＲＯＭ（ＥＥＰＲＯＭ）、フラッシュメモリ、強誘電性ポリマーメモリのようなポリマーメモリ、オボニックメモリ、位相変化又は強誘電性メモリ、シリコン−酸化物−窒化物−酸化物−シリコン（ＳＯＮＯＳ）メモリ、磁気若しくは光学カード、レイド（Redundant  Array  of  Independent  Disk：ＲＡＩＤ）デバイスのようなデバイスのアレイ、ソリッドステートメモリ装置（例えば、ＵＳＢメモリ、ソリッドステートドライブ（ＳＳＤ））、及び情報を格納するのに適しているあらゆる他の種類の記憶媒体のような、１つ又は複数のより高速のメモリユニットの形式の様々な種類のコンピュータ読み取り可能及び機械読み取り可能記憶媒体を含み得る。
【００６１】
装置７００は、例えば、ウルトラモバイルデバイス（ultra-mobile  device）、移動機、固定型装置、マシンツーマシン（machine-to-machine：Ｍ２Ｍ）デバイス、携帯情報端末（personal  digital  assistant：ＰＤＡ）、移動計算装置（mobile  computing  device：モバイルコンピューティング装置）、スマートフォン（smart  phone）、電話、デジタル電話、セルラ電話、ユーザ装置、ｅブックリーダ（eBook  reader）、ハンドセット（handset）、一方向ページャ（one-way  pager）、双方向ページャ（two-way  pager）、メッセージング装置（messaging  device）、コンピュータ、パーソナルコンピュータ（personal  computer：ＰＣ）、デスクトップコンピュータ（desktop  computer）、ラップトップコンピュータ（laptop  computer）、ノートブックコンピュータ（notebook  computer）、ネットブックコンピュータ（netbook  computer）、ハンドヘルドコンピュータ（handheld  computer）、タブレットコンピュータ（tablet  computer）、サーバ、サーバアレイ若しくはサーバファーム、ウェブサーバ、ネットワークサーバ、インターネットサーバ、ワークステーション、ミニコンピュータ（mini-computer）、メインフレームコンピュータ（main  frame  computer）、スーパーコンピュータ（supercomputer）、ネットワークアプライアンス（network  appliance）、ウェブアプライアンス（web  appliance）、分散型計算システム、マルチプロセッサシステム、プロセッサに基づくシステム（processor-based  system）、民生用電子機器（consumer  electronics）、プログラム可能民生用電子機器（programmable  consumer  electronics）、ゲーム機器（game  device）、テレビ受信機、デジタルテレビ、セットトップボックス、無線アクセスポイント、基地局、ノードＢ、加入者ステーション、移動加入者センタ（mobile  subscriber  center）、無線ネットワーク制御装置、ルータ、ハブ、ゲートウェイ、ブリッジ、スイッチ、マシン（machine）、又はそれらの組み合わせであり得る。したがって、ここで説明された装置７００の機能及び／又は特定の構成は、適切に要求されるように、装置７００の各種の実施例に含まれ得るか、又は装置７００の各種の実施例において省略され得る。実施例は下記の点において限定されないが、いくつかの実施例において、装置７００は、ここで言及された３ＧＰＰ  ＬＴＥ仕様書及び／若しくはＷＭＡＮのためのＩＥＥＥ８０２．１６標準、及び／又は、他の広帯域無線ネットワークのうちの１つ若しくは複数と関連付けられたプロトコル及び周波数と互換性があるように構成され得る。
【００６２】
装置７００の実施例は、単一入力単一出力（single  input  single  output：ＳＩＳＯ）アーキテクチャを使用して実施され得る。しかしながら、いくつかの実装例は、ビームフォーミング又は空間分割多元接続（spatial  division  multiple  access：ＳＤＭＡ）のためのアダプティブアンテナ技術を使用するか、及び／又はＭＩＭＯ通信技術を使用する送信及び／又は受信のための複数のアンテナ（例えば、アンテナ７１８−ｆ）を含み得る。
【００６３】
装置７００のコンポーネント及び特徴は、ディスクリート回路、特定用途向け集積回路（ＡＳＩＣ）、ロジックゲート、及び／又はシングルチップアーキテクチャのあらゆる組み合わせを使用して実施され得る。さらに、装置７００の特徴は、マイクロコントローラ、プログラム可能なロジックアレー、及び／若しくはマイクロプロセッサ、又は、適宜適切なこれらのあらゆる組み合わせを使用して実施され得る。ハードウェアエレメント、ファームウェアエレメント、及び／又はソフトウェアエレメントが、ここでは集合的に又は個別に“ロジック”又は“回路”として参照され得るということは注目に値する。
【００６４】
図７のブロック図において示される代表的な装置７００は多くの潜在的な実装例のうちの一つの機能的に説明的な実例を表し得るということが認識されるべきである。したがって、添付の図面において描写されたブロック機能の分割、省略、又は包含は、実施例においてこれらの機能を実装するためのハードウェアコンポーネント、回路、ソフトウェア、及び／又はエレメントが必ず分割される、省略される、含まれるということを暗示しない。
【００６５】
図８は、広帯域無線アクセスシステム８００の実施例を例示する。図８において示されるように、広帯域無線アクセスシステム８００は、インターネット８１０に対する移動無線アクセス及び／若しくは固定無線アクセスをサポートすることが可能であるインターネット８１０タイプのネットワーク、又は同様のものを含んでいる、インターネットプロトコル（internet  protocol：ＩＰ）タイプのネットワークであり得る。１つ又は複数の実施例において、広帯域無線アクセスシステム８００は、３ＧＰＰ  ＬＴＥ仕様書のうちの１つ若しくは複数、及び／又はＩＥＥＥ８０２．１６標準に準拠しているシステムのようなあらゆる種類の周波数分割多元接続（orthogonal  frequency  division  multiple  access：ＯＦＤＭＡ）ベースの無線ネットワークを含み得るとともに、権利請求された主題の範囲はこれらの点に限定されない。
【００６６】
代表的な広帯域無線アクセスシステム８００において、アクセスサービスネットワーク（access  service  network：ＡＳＮ）８１２、８１８は、１つ若しくは複数の固定型装置８１６とインターネット８１０との間の無線通信、及び／又は１つ若しくは複数の移動機８２２とインターネット８１０との間の無線通信を提供するために、それぞれ基地局（base  station：ＢＳ）（又は、ｅノードＢ）８１４、８２０と結合することが可能である。固定型装置８１６及び移動機８２２の一つの実例は、装置７００の固定されたバージョンを含む固定型装置８１６、及び装置７００の移動式のバージョンを含む移動機８２２を含む装置７００である。ＡＳＮ８１２、８１８は、広帯域無線アクセスシステム８００上の１つ又は複数の物理的エンティティに対するネットワーク機能のマッピングを定義することが可能であるプロファイルを実行し得る。基地局（又は、ｅノードＢ）８１４、８２０は、装置７００を参照して説明されたような固定型装置８１６及び／又は移動機８２２とのＲＦ通信を提供するために、無線装置を含み得るとともに、例えば、３ＧＰＰ  ＬＴＥ仕様書又はＩＥＥＥ８０２．１６標準に準拠したＰＨＹ及びＭＡＣ層装置（PHY  and  MAC  layer  equipment）を含み得る。権利請求された主題の範囲は下記の点に限定されないが、基地局（又は、ｅノードＢ）８１４、８２０は、それぞれＡＳＮ８１２、８１８を経てインターネット８１０に結合するために、ＩＰバックプレーン（IP  backplane）を更に含み得る。
【００６７】
広帯域無線アクセスシステム８００は、プロキシ及び／又はリレータイプの機能、例えば認証、認可、及び課金（authentication,  authorization  and  accounting：ＡＡＡ）機能、ダイナミックホストコンフィギュレーションプロトコル（dynamic  host  configuration  protocol：ＤＨＣＰ）機能、又はドメインネームサービス制御など、公衆交換電話網（public  switched  telephone  network：ＰＳＴＮ）ゲートウェイ又はボイスオーバインターネットプロトコル（voice  over  internet  protocol：ＶｏＩＰ）ゲートウェイのようなドメインゲートウェイ、インターネットプロトコル（internet  protocol：ＩＰ）タイプサーバ機能などを含むがそれに限定されない１つ又は複数のネットワーク機能を提供することが可能である訪問先接続性サービスネットワーク（visited  connectivity  service  network：訪問先ＣＳＮ）８２４を更に含み得る。しかしながら、これらは、単に訪問先ＣＳＮ８２４又はホームＣＳＮ８２６により提供されることが可能である機能の種類の実例であり、権利請求された主題の範囲はこれらの点に限定されない。訪問先ＣＳＮ８２４は、訪問先ＣＳＮ８２４が固定型装置８１６若しくは移動機８２２の通常のサービスプロバイダの一部ではなく、例えば固定型装置８１６若しくは移動機８２２が固定型装置８１６若しくは移動機８２２のそれぞれのホームＣＳＮ８２６から離れてローミング（roaming）している場合、又は、広帯域無線アクセスシステム８００が固定型装置８１６若しくは移動機８２２の通常のサービスプロバイダの一部であるが、しかし広帯域無線アクセスシステム８００が固定型装置８１６若しくは移動機８２２のメインロケーション若しくはホームロケーションではない別の場所若しくは状況にある場合に、訪問先ＣＳＮと言われ得る。
【００６８】
固定型装置８１６は、それぞれ基地局（又は、ｅノードＢ）８１４、８２０、及びＡＳＮ８１２、８１８、そしてホームＣＳＮ８２６を介して自宅若しくは会社の顧客にインターネット８１０に対する広帯域アクセスを提供するために、自宅若しくは会社の中又は近くのような１つ又は複数の基地局（又は、ｅノードＢ）８１４、８２０の範囲内のどこにでも設置され得る。固定型装置８１６は一般に固定された場所に配置されるが、固定型装置８１６が必要に応じて異なる場所に動かされ得るということは注目に値する。移動機８２２は、もし移動機８２２が例えば１つ又は両方の基地局（又は、ｅノードＢ）８１４、８２０の範囲内にあるならば、１つ又は複数の場所で利用され得る。
【００６９】
１つ又は複数の実施例によれば、オペレーションサポートシステム（operation  support  system：ＯＳＳ）８２８は、広帯域無線アクセスシステム８００に対して管理機能を提供し、広帯域無線アクセスシステム８００の機能エンティティの間のインタフェースを提供するために、広帯域無線アクセスシステム８００の一部であり得る。図８の広帯域無線アクセスシステム８００は、広帯域無線アクセスシステム８００のいくつかの構成要素を示す無線ネットワークの単に１つの種類であり、権利請求された主題の範囲はこれらの点に限定されない。
【００７０】
各種の実施例は、ハードウェアエレメント、ソフトウェアエレメント、又は両方の組み合わせを用いて実施され得る。ハードウェアエレメントの実例は、プロセッサ、マイクロプロセッサ、回路、回路素子（例えば、トランジスタ、レジスタ、キャパシタ、インダクタなど）、集積回路、特定用途向け集積回路（ＡＳＩＣ）、プログラマブルロジックデバイス（ＰＬＤ）、デジタルシグナルプロセッサ（ＤＳＰ）、フィールドプログラマブルゲートアレイ（ＦＰＧＡ）、論理ゲート、レジスタ、半導体素子、チップ、マイクロチップ、チップセットなどを含み得る。ソフトウェアの実例は、ソフトウェアコンポーネント、プログラム、アプリケーション、コンピュータプログラム、アプリケーションプログラム、システムプログラム、マシンプログラム、オペレーティングシステムソフトウエア、ミドルウェア、ファームウェア、ソフトウェアモジュール、ルーチン、サブルーチン、ファンクション（機能）、メソッド（方法）、プロシージャ（手順）、ソフトウェアインタフェース、アプリケーションプログラムインタフェース（ＡＰＩ）、命令セット、計算コード、コンピュータコード、コードセグメント、コンピュータコードセグメント、ワード（words）、値（values）、シンボル、又はそれらのあらゆる組み合わせを含み得る。実施例がハードウェアエレメント及び／又はソフトウェアエレメントを使用して実施されるかどうかを判定することは、所望の計算レート、電力レベル、耐熱性、処理サイクル量、入力データレート、出力データレート、メモリ資源、データバス速度、及び他の設計の制約又は性能の制約のようなあらゆる数の要因に従って変化し得る。
【００７１】
少なくとも一実施例の１つ又は複数の態様は、プロセッサ内部の様々なロジックを表し、機械によって読まれたときに機械にここで説明された技術を実行するためのロジックを構築させる、機械読み取り可能媒体に格納される代表的な命令によって実行され得る。“ＩＰコア”として知られているそのような表現は、有形の機械読み取り可能媒体に格納され得るとともに、ロジック又はプロセッサを実際に作る製作機械（fabrication  machine）に読み込むために、様々な顧客又は製造施設に供給され得る。いくつかの実施例は、例えば、機械により実行されたならば、実施例に従って機械に方法及び／又は動作を遂行させ得る命令又は一組の命令を格納し得る機械読み取り可能媒体又は物品を使用して実施され得る。そのような機械は、例えば、あらゆる適切な処理プラットフォーム、計算プラットフォーム、計算装置、処理装置、計算システム、処理システム、コンピュータ、プロセッサなどを含み得るとともに、ハードウェア及び／又はソフトウェアのあらゆる適切な組み合わせを用いて実施され得る。機械読み取り可能媒体又は物品は、例えば、あらゆる適切な種類のメモリユニット、メモリ装置、メモリ物品、メモリ媒体、記憶装置、記憶物品、記憶媒体、及び／又は記憶ユニット、例えば、メモリ、取り外し可能又は取り外し不可能媒体、消去可能又は消去不能媒体、書き込み可能又は再書き込み可能媒体、デジタル又はアナログ媒体、ハードディスク、フロッピー（登録商標）ディスク、コンパクトディスクリードオンリメモリ（Compact  Disk  Read  Only  Memory：ＣＤ−ＲＯＭ）、コンパクトディスクレコーダブル（Compact  Disk  Recordable：ＣＤ−Ｒ）、コンパクトディスクリライタブル（Compact  Disk  Rewriteable：ＣＤ−ＲＷ）、光ディスク、磁気媒体、光磁気媒体、取り外し可能メモリカード又はディスク、様々な種類のデジタル多目的ディスク（Digital  Versatile  Disk：ＤＶＤ）、テープ、カセットなどを含み得る。命令は、あらゆる適切な高水準プログラミング言語、低水準プログラミング言語、オブジェクト指向プログラミング言語、ビジュアル（visual）プログラミング言語、コンパイルされたプログラミング言語、及び／又は解釈されたプログラミング言語を使用して実装されるソースコード、コンパイルされたコード、解釈されたコード、実行可能コード、静的なコード、動的なコード、暗号化されたコードなどのようなあらゆる適切な種類のコードを含み得る。
【００７２】
下記の実例は、更なる実施例に関連する。
【００７３】
実例１は、ユーザ装置（ＵＥ）であって、処理回路と、下りリンクチャネルのチャネル状態情報（ＣＳＩ）基準信号に関して、受信品質パラメータを判定し、上記下りリンクチャネル内に実装された下りリンク制御チャネルに割り当てられる１つ又は複数のリソースエレメント（ＲＥ）を含むように、上記下りリンクチャネルのためのＣＳＩ基準リソースを定義する、上記処理回路における実行のための判定コンポーネントと、上記受信品質パラメータ及び上記ＣＳＩ基準リソースに基づいてチャネル品質指標（ＣＱＩ）インデックスを選択する、上記処理回路における実行のための選択コンポーネントとを備える、ＵＥである。
【００７４】
実例２において、実例１の上記下りリンクチャネルは物理下りリンク共有チャネル（ＰＤＳＣＨ）を任意に含み得るとともに、上記下りリンク制御チャネルは拡張物理下りリンク制御チャネル（ＥＰＤＣＣＨ）を任意に含み得る。
【００７５】
実例３において、実例２の当該ＵＥは、１つ又は複数のＥＰＤＣＣＨ物理リソースブロック（ＰＲＢ）セットによって任意に設定され得るとともに、上記判定コンポーネントは、上記１つ又は複数のＥＰＤＣＣＨ  ＰＲＢセットに基づいて上記ＣＳＩ基準リソースを任意に定義し得る。
【００７６】
実例４において、実例１から実例３のうちのいずれか一つの上記選択コンポーネントは、セル固有参照信号（ＣＲＳ）オーバヘッドを包含する１つ又は複数のＲＥを含むように上記ＣＳＩ基準リソースを任意に定義し得る。
【００７７】
実例５において、実例１から実例４のうちのいずれか一つの上記ＣＱＩインデックスは、上記下りリンクチャネルを介した当該ＵＥに対するメッセージの伝送のための変調及び符号化方法（ＭＣＳ）を任意に特定し得る。
【００７８】
実例６において、実例１から実例５のうちのいずれか一つの上記受信品質パラメータは、ＣＳＩ基準信号（ＣＳＩ−ＲＳ）に対するチャネル測定値、及びＣＳＩ干渉測定（ＣＳＩ−ＩＭ）リソースに対する干渉測定値を任意に含み得る。
【００７９】
実例７において、実例１から実例６のうちのいずれか一つの当該ＵＥは、表示装置と、無線周波数（ＲＦ）トランシーバと、１つ又は複数のＲＦアンテナとを任意に備え得る。
【００８０】
実例８は、無線通信方法であって、ユーザ装置（ＵＥ）において、チャネル状態情報（ＣＳＩ）基準信号（ＣＳＩ−ＲＳ）及びＣＳＩ干渉測定（ＣＳＩ−ＩＭ）リソースを受信するステップと、プロセッサにより、上記ＣＳＩ−ＲＳに対するチャネル測定値及び上記ＣＳＩ−ＩＭリソースに対する干渉測定値を計算するステップと、一組のセル固有参照信号（ＣＲＳ）オーバヘッドリソースエレメント（ＲＥ）を含むように物理下りリンク共有チャネル（ＰＤＳＣＨ）に対する基準リソースを定義するステップと、上記チャネル測定値、上記干渉測定値、及び上記基準リソースに基づいてＣＱＩインデックスを選択するステップとを含む、無線通信方法である。
【００８１】
実例９において、実例８の当該無線通信方法は、上記一組のＣＲＳオーバヘッドＲＥが上記ＵＥのサービングセルに対して設定される複数のＣＲＳアンテナポートに対応する複数のＲＥを含むように上記基準リソースを定義するステップを任意に含み得る。
【００８２】
実例１０において、実例８の当該無線通信方法は、上記一組のＣＲＳオーバヘッドＲＥが最も小さいインデックス値を有するＰＱＩ（PDSCH  RE  mapping  and  quasi-co-location  indicator）状態と関連付けられた複数のＣＲＳアンテナポートに対応する複数のＲＥを含むように上記基準リソースを定義するステップを任意に含み得る。
【００８３】
実例１１において、実例８の当該無線通信方法は、上記一組のＣＲＳオーバヘッドＲＥが上記ＵＥのＣＳＩ処理のための非ゼロ電力（ＮＺＰ）ＣＳＩ−ＲＳと関連付けられた複数のＣＲＳアンテナポートに対応する複数のＲＥを含むように上記基準リソースを定義するステップを任意に含み得る。
【００８４】
実例１２において、実例８から実例１１のうちのいずれか一つの当該無線通信方法は、拡張物理下りリンク制御チャネル（ＥＰＤＣＣＨ）に割り当てられた１つ又は複数のＲＥを含むように上記基準リソースを定義するステップを任意に含み得る。
【００８５】
実例１３において、実例８から実例１２のうちのいずれか一つの上記ＣＱＩインデックスは、１つ又は複数のＰＤＳＣＨリソースブロックでの上記ＵＥに対するデータの伝送のための変調及び符号化方法（ＭＣＳ）を任意に示し得る。
【００８６】
実例１４は、一組の命令を含む少なくとも１つの機械読み取り可能媒体であって、上記命令が計算装置によって実行されることに応答して、上記計算装置に、実例８から実例１３のうちのいずれか一つによる無線通信方法を実行させる、少なくとも１つの機械読み取り可能媒体である。
【００８７】
実例１５は、実例８から実例１３のうちのいずれか一つによる無線通信方法を実行するための手段を備える機器である。
【００８８】
実例１６は、進化型ノードＢ（ｅＮＢ）であって、プロセッサ回路と、物理下りリンク共有チャネル（ＰＤＳＣＨ）に対するチャネル品質インデックスであって、定義された基準リソースと関連付けられた上記チャネル品質インデックスを受信する、上記プロセッサ回路による実行のための通信コンポーネントと、上記ＰＤＳＣＨを介した１つ又は複数のリソースブロックでのユーザ装置（ＵＥ）データの伝送のための変調及び符号化方法（ＭＣＳ）を選択し、上記ＭＣＳを選択する時に、上記定義された基準リソースのセル固有参照信号（ＣＲＳ）オーバヘッドと１つ又は複数のリソースブロックのＣＲＳオーバヘッドとの間の差異を補償する、上記プロセッサ回路による実行のための選択コンポーネントとを備える、ｅＮＢである。
【００８９】
実例１７において、実例１６の上記選択コンポーネントは、上記定義された基準リソースにおけるＣＲＳリソースエレメント（ＲＥ）の数と１つ又は複数のリソースブロックの各々におけるＣＲＳ  ＲＥの数との間の差異を補償するために、任意に上記プロセッサ回路による実行のためのものであり得る。
【００９０】
実例１８において、実例１６又は実例１７のうちのいずれか一つの上記チャネル品質インデックスは任意に第１のＭＣＳを示し得るとともに、上記選択コンポーネントは、上記第１のＭＣＳを選択すること、又は、上記定義された基準リソースの上記ＣＲＳオーバヘッドと上記１つ又は複数のリソースブロックの上記ＣＲＳオーバヘッドとの間の上記差異に基づいて第２のＭＣＳを特定して選択すること、のいずれかを行うために、任意に上記プロセッサ回路による実行のためのものであり得る。
【００９１】
実例１９において、実例１６から実例１８のうちのいずれか一つの上記選択コンポーネントは、上記ＭＣＳを選択する時に、上記ＰＤＳＣＨの中に実装された拡張物理下りリンク制御チャネル（ＥＰＤＣＣＨ）を補償するために、任意に上記プロセッサ回路による実行のためのものであり得る。
【００９２】
実例２０において、実例１６から実例１９のうちのいずれか一つの上記１つ又は複数のリソースブロックの上記ＣＲＳオーバヘッドは、当該ｅＮＢにより使用されるＣＲＳアンテナポートの数に任意に対応し得る。
【００９３】
実例２１において、実例１６から実例２０のうちのいずれか一つの上記チャネル品質インデックスは、チャネル品質指標（ＣＱＩ）インデックスを任意に含み得る。
【００９４】
実例２２において、実例１６から実例２１のうちのいずれか一つの上記定義された基準リソースは、チャネル状態情報（ＣＳＩ）基準リソースを任意に含み得る。
【００９５】
実例２３は、一組の無線通信命令を含む少なくとも１つの機械読み取り可能媒体であって、上記命令が計算装置によって実行されることに応答して、上記計算装置に、進化型ノードＢ（ｅＮＢ）において、物理下りリンク共有チャネル（ＰＤＳＣＨ）に対するチャネル品質指標（ＣＱＩ）インデックスを受信させ、上記ＰＤＳＣＨの１つ又は複数のリソースブロックの拡張物理下りリンク制御チャネル（ＥＰＤＣＣＨ）オーバヘッドを判定させ、上記ＣＱＩインデックス及び上記ＥＰＤＣＣＨオーバヘッドに基づいて１つ又は複数のリソースブロックによるメッセージの伝送のための変調及び符号化方法（ＭＣＳ）を選択させる、少なくとも１つの機械読み取り可能媒体である。
【００９６】
実例２４において、実例２３の上記ＥＰＤＣＣＨオーバヘッドは、上記ＰＤＳＣＨに対して設定される１つ又は複数のＥＰＤＣＣＨ物理リソースブロック（ＰＲＢ）セットに任意に対応し得る。
【００９７】
実例２５において、実例２３又は実例２４のうちのいずれか一つの当該少なくとも１つの機械読み取り可能媒体は、上記計算装置によって実行されることに応答して、上記計算装置に、上記１つ又は複数のリソースブロックにおける一組のリソースエレメント（ＲＥ）によって上記メッセージを送信させる無線通信命令を任意に含み得る。
【００９８】
実例２６において、実例２３から実例２５のうちのいずれか一つの上記ＣＱＩインデックスは、ＥＰＤＣＣＨオーバヘッドを含まないように定義されたチャネル状態情報（ＣＳＩ）基準リソースに任意に対応し得る。
【００９９】
実例２７において、実例２３から実例２６のうちのいずれか一つの当該少なくとも１つの機械読み取り可能媒体は、上記計算装置によって実行されることに応答して、上記計算装置に、１つ又は複数のリソースブロックのセル固有参照信号（ＣＲＳ）オーバヘッドを判定させ、上記ＣＱＩインデックス、上記ＥＰＤＣＣＨオーバヘッド、及び上記ＣＲＳオーバヘッドに基づいて上記ＭＣＳを選択させる無線通信命令を任意に含み得る。
【０１００】
実例２８は、無線通信方法であって、ユーザ装置（ＵＥ）におけるプロセッサ回路により、下りリンクチャネルのチャネル状態情報（ＣＳＩ）基準信号に関して、受信品質パラメータを判定するステップと、上記下りリンクチャネル内に実装された下りリンク制御チャネルに割り当てられる１つ又は複数のリソースエレメント（ＲＥ）を含むように、上記下りリンクチャネルのためのＣＳＩ基準リソースを定義するステップと、上記受信品質パラメータ及び上記ＣＳＩ基準リソースに基づいてチャネル品質指標（ＣＱＩ）インデックスを選択するステップとを含む、無線通信方法である。
【０１０１】
実例２９において、実例２８の上記下りリンクチャネルは物理下りリンク共有チャネル（ＰＤＳＣＨ）を任意に含み得るとともに、上記下りリンク制御チャネルは拡張物理下りリンク制御チャネル（ＥＰＤＣＣＨ）を任意に含み得る。
【０１０２】
実例３０において、実例２９の当該無線通信方法は、上記ＵＥが１つ又は複数のＥＰＤＣＣＨ物理リソースブロック（ＰＲＢ）セットによって設定され、当該１つ又は複数のＥＰＤＣＣＨ  ＰＲＢセットに基づいて上記ＣＳＩ基準リソースを定義するステップを任意に含み得る。
【０１０３】
実例３１において、実例２８から実例３０のうちのいずれか一つの当該無線通信方法は、セル固有参照信号（ＣＲＳ）オーバヘッドを包含する１つ又は複数のＲＥを含むように上記ＣＳＩ基準リソースを任意に定義するステップを任意に含み得る。
【０１０４】
実例３２において、実例２８から実例３１のうちのいずれか一つの上記ＣＱＩインデックスは、上記下りリンクチャネルを介した上記ＵＥに対するメッセージの伝送のための変調及び符号化方法（ＭＣＳ）を任意に特定し得る。
【０１０５】
実例３３において、実例２８から実例３２のうちのいずれか一つの上記受信品質パラメータは、ＣＳＩ基準信号（ＣＳＩ−ＲＳ）に対するチャネル測定値、及びＣＳＩ干渉測定（ＣＳＩ−ＩＭ）リソースに対する干渉測定値を任意に含み得る。
【０１０６】
実例３４は、一組の命令を含む少なくとも１つの機械読み取り可能媒体であって、上記命令が計算装置によって実行されることに応答して、上記計算装置に、実例２８から実例３３のうちのいずれか一つによる無線通信方法を実行させる、少なくとも１つの機械読み取り可能媒体である。
【０１０７】
実例３５は、実例２８から実例３３のうちのいずれか一つによる無線通信方法を実行するための手段を備える機器である。
【０１０８】
実例３６は、ユーザ装置（ＵＥ）であって、プロセッサと、チャネル状態情報（ＣＳＩ）基準信号（ＣＳＩ−ＲＳ）及びＣＳＩ干渉測定（ＣＳＩ−ＩＭ）リソースを受信し、上記ＣＳＩ−ＲＳに対するチャネル測定値及び上記ＣＳＩ−ＩＭリソースに対する干渉測定値を計算し、一組のセル固有参照信号（ＣＲＳ）オーバヘッドリソースエレメント（ＲＥ）を含むように物理下りリンク共有チャネル（ＰＤＳＣＨ）に対する基準リソースを定義する、上記プロセッサによる実行のための判定コンポーネントと、上記チャネル測定値、上記干渉測定値、及び上記基準リソースに基づいてＣＱＩインデックスを選択する、上記プロセッサによる実行のための選択コンポーネントとを備える、ＵＥである。
【０１０９】
実例３７において、実例３６の上記判定コンポーネントは、上記一組のＣＲＳオーバヘッドＲＥが当該ＵＥのサービングセルに対して設定される複数のＣＲＳアンテナポートに対応する複数のＲＥを含むように上記基準リソースを定義するために、任意に上記プロセッサによる実行のためのものであり得る。
【０１１０】
実例３８において、実例３６の上記判定コンポーネントは、上記一組のＣＲＳオーバヘッドＲＥが最も小さいインデックス値を有するＰＱＩ（PDSCH  RE  mapping  and  quasi-co-location  indicator）状態と関連付けられた複数のＣＲＳアンテナポートに対応する複数のＲＥを含むように上記基準リソースを定義するために、任意に上記プロセッサによる実行のためのものであり得る。
【０１１１】
実例３９において、実例３６の上記判定コンポーネントは、上記一組のＣＲＳオーバヘッドＲＥが上記ＵＥのＣＳＩ処理のための非ゼロ電力（ＮＺＰ）ＣＳＩ−ＲＳと関連付けられた複数のＣＲＳアンテナポートに対応する複数のＲＥを含むように上記基準リソースを定義するために、任意に上記プロセッサによる実行のためのものであり得る。
【０１１２】
実例４０において、実例３６から実例３９のうちのいずれか一つの上記判定コンポーネントは、拡張物理下りリンク制御チャネル（ＥＰＤＣＣＨ）に割り当てられた１つ又は複数のＲＥを含むように上記基準リソースを定義するために、任意に上記プロセッサによる実行のためのものであり得る。
【０１１３】
実例４１において、実例３６から実例４０のうちのいずれか一つの上記ＣＱＩインデックスは、１つ又は複数のＰＤＳＣＨリソースブロックでの当該ＵＥに対するデータの伝送のための変調及び符号化方法（ＭＣＳ）を任意に示し得る。
【０１１４】
実例４２は、無線通信方法であって、進化型ノードＢ（ｅＮＢ）において、物理下りリンク共有チャネル（ＰＤＳＣＨ）に対するチャネル品質インデックスであって、定義された基準リソースと関連付けられた上記チャネル品質インデックスを受信するステップと、プロセッサ回路により、上記ＰＤＳＣＨを介した１つ又は複数のリソースブロックでのユーザ装置（ＵＥ）データの伝送のための変調及び符号化方法（ＭＣＳ）を選択し、上記ＭＣＳを選択する時に、上記定義された基準リソースのセル固有参照信号（ＣＲＳ）オーバヘッドと１つ又は複数のリソースブロックのＣＲＳオーバヘッドとの間の差異を補償するステップとを含む、無線通信方法である。
【０１１５】
実例４３において、実例４２の当該無線通信方法は、上記定義された基準リソースにおけるＣＲＳリソースエレメント（ＲＥ）の数と１つ又は複数のリソースブロックの各々におけるＣＲＳ  ＲＥの数との間の差異を補償するステップを任意に含み得る。
【０１１６】
実例４４において、実例４２又は実例４３のうちのいずれか一つの上記チャネル品質インデックスは任意に第１のＭＣＳを示し得るとともに、当該無線通信方法は、上記チャネル品質インデックスにより示される上記第１のＭＣＳを選択するステップか、又は、上記定義された基準リソースの上記ＣＲＳオーバヘッドと上記１つ又は複数のリソースブロックの上記ＣＲＳオーバヘッドとの間の上記差異に基づいて第２のＭＣＳを特定して選択するステップか、のいずれかを任意に含み得る。
【０１１７】
実例４５において、実例４２から実例４４のうちのいずれか一つの当該無線通信方法は、上記ＭＣＳを選択する時に、上記ＰＤＳＣＨの中に実装された拡張物理下りリンク制御チャネル（ＥＰＤＣＣＨ）を補償するステップを任意に含み得る。
【０１１８】
実例４６において、実例４２から実例４５のうちのいずれか一つの上記１つ又は複数のリソースブロックの上記ＣＲＳオーバヘッドは、上記ｅＮＢにより使用されるＣＲＳアンテナポートの数に任意に対応し得る。
【０１１９】
実例４７において、実例４２から実例４６のうちのいずれか一つの上記チャネル品質インデックスは、チャネル品質指標（ＣＱＩ）インデックスを任意に含み得る。
【０１２０】
実例４８において、実例４２から実例４７のうちのいずれか一つの上記定義された基準リソースは、チャネル状態情報（ＣＳＩ）基準リソースを任意に含み得る。
【０１２１】
実例４９は、一組の命令を含む少なくとも１つの機械読み取り可能媒体であって、上記命令が計算装置によって実行されることに応答して、上記計算装置に、実例４２から実例４８のうちのいずれか一つによる無線通信方法を実行させる、少なくとも１つの機械読み取り可能媒体である。
【０１２２】
実例５０は、実例４２から実例４８のうちのいずれか一つによる無線通信方法を実行するための手段を備える機器である。
【０１２３】
実例５１は、進化型ノードＢ（ｅＮＢ）であって、プロセッサ回路と、物理下りリンク共有チャネル（ＰＤＳＣＨ）に対するチャネル品質指標（ＣＱＩ）インデックスを受信する、上記プロセッサ回路による実行のための通信コンポーネントと、上記ＰＤＳＣＨの１つ又は複数のリソースブロックの拡張物理下りリンク制御チャネル（ＥＰＤＣＣＨ）オーバヘッドを判定する、上記プロセッサ回路による実行のための判定コンポーネントと、上記ＣＱＩインデックス及び上記ＥＰＤＣＣＨオーバヘッドに基づいて１つ又は複数のリソースブロックによるメッセージの伝送のための変調及び符号化方法（ＭＣＳ）を選択する、上記プロセッサ回路による実行のための選択コンポーネントとを備える、ｅＮＢである。
【０１２４】
実例５２において、実例５１の上記ＥＰＤＣＣＨオーバヘッドは、上記ＰＤＳＣＨに対して設定される１つ又は複数のＥＰＤＣＣＨ物理リソースブロック（ＰＲＢ）セットに任意に対応し得る。
【０１２５】
実例５３において、実例５１又は実例５２のうちのいずれか一つの上記通信コンポーネントは、上記１つ又は複数のリソースブロックにおける一組のリソースエレメント（ＲＥ）によって上記メッセージを送信するために、任意に上記プロセッサ回路による実行のためのものであり得る。
【０１２６】
実例５４において、実例５１から実例５３のうちのいずれか一つの上記ＣＱＩインデックスは、ＥＰＤＣＣＨオーバヘッドを含まないように定義されたチャネル状態情報（ＣＳＩ）基準リソースに任意に対応し得る。
【０１２７】
実例５５において、実例５１から実例５４のうちのいずれか一つの上記判定コンポーネントは、１つ又は複数のリソースブロックのセル固有参照信号（ＣＲＳ）オーバヘッドを判定するために、任意に上記プロセッサ回路による実行のためのものであり得るとともに、上記選択コンポーネントは、上記ＣＱＩインデックス、上記ＥＰＤＣＣＨオーバヘッド、及び上記ＣＲＳオーバヘッドに基づいて上記ＭＣＳを選択するために、任意に上記プロセッサ回路による実行のためのものであり得る。
【０１２８】
実例５６において、実例５１から実例５５のうちのいずれか一つの当該ｅＮＢは、表示装置と、無線周波数（ＲＦ）トランシーバと、１つ又は複数のＲＦアンテナとを任意に備え得る。
【０１２９】
実例５７は、無線通信方法であって、進化型ノードＢ（ｅＮＢ）において、物理下りリンク共有チャネル（ＰＤＳＣＨ）に対するチャネル品質指標（ＣＱＩ）インデックスを受信するステップと、プロセッサ回路により、上記ＰＤＳＣＨの１つ又は複数のリソースブロックの拡張物理下りリンク制御チャネル（ＥＰＤＣＣＨ）オーバヘッドを判定するステップと、上記ＣＱＩインデックス及び上記ＥＰＤＣＣＨオーバヘッドに基づいて１つ又は複数のリソースブロックによるメッセージの伝送のための変調及び符号化方法（ＭＣＳ）を選択するステップとを含む、無線通信方法である。
【０１３０】
実例５８において、実例５７の上記ＥＰＤＣＣＨオーバヘッドは、上記ＰＤＳＣＨに対して設定される１つ又は複数のＥＰＤＣＣＨ物理リソースブロック（ＰＲＢ）セットに任意に対応し得る。
【０１３１】
実例５９において、実例５７又は実例５８のうちのいずれか一つの当該無線方法は、上記１つ又は複数のリソースブロックにおける一組のリソースエレメント（ＲＥ）によって上記メッセージを送信するステップを任意に含み得る。
【０１３２】
実例６０において、実例５７から実例５９のうちのいずれか一つの上記ＣＱＩインデックスは、ＥＰＤＣＣＨオーバヘッドを含まないように定義されたチャネル状態情報（ＣＳＩ）基準リソースに任意に対応し得る。
【０１３３】
実例６１において、実例５７から実例６０のうちのいずれか一つの当該無線方法は、１つ又は複数のリソースブロックのセル固有参照信号（ＣＲＳ）オーバヘッドを判定するステップと、上記ＣＱＩインデックス、上記ＥＰＤＣＣＨオーバヘッド、及び上記ＣＲＳオーバヘッドに基づいて上記ＭＣＳを選択するステップとを任意に含み得る。
【０１３４】
実例６２は、一組の命令を含む少なくとも１つの機械読み取り可能媒体であって、上記命令が計算装置によって実行されることに応答して、上記計算装置に、実例５７から実例６１のうちのいずれか一つによる無線通信方法を実行させる、少なくとも１つの機械読み取り可能媒体である。
【０１３５】
実例６３は、実例５７から実例６１のうちのいずれか一つによる無線通信方法を実行するための手段を備える機器である。
【０１３６】
実例６４は、ユーザ装置（ＵＥ）であって、周波数分割多元接続（orthogonal  frequency  division  multiple  access：ＯＦＤＭＡ）システムのための共有無線下りリンクチャネルの基準リソースに対するチャネル品質指標（ＣＱＩ）インデックスを導出するプロセッサ回路であって、上記ＣＱＩインデックスが拡張された下りリンク制御チャネルにより使用される上記基準リソースにおけるエレメントを参照することなく導出される、前記プロセッサ回路と、無線上りリンクチャネル上で上記ＣＱＩインデックスを表す電磁信号を送信する、上記プロセッサ回路に結合される無線周波数（ＲＦ）送信機とを備える、ＵＥである。
【０１３７】
実例６５において、実例６４の上記ＣＱＩインデックスは、当該ＵＥのサービングセルのためのチャネル状態情報（ＣＳＩ）を任意に含み得る。
【０１３８】
実例６６において、実例６４又は実例６５のうちのいずれか一つの上記基準リソースは、上記ＣＱＩインデックスが関連している帯域に対応する下りリンク物理リソースブロックのグループにより周波数ドメインにおいて定義されるチャネル状態情報（ＣＳＩ）基準リソースを任意に含み得る。
【０１３９】
実例６７において、実例６４から実例６６のうちのいずれか一つの上記ＣＱＩインデックスは、制御信号により占有された最初の３つの直交周波数分割多重（ＯＦＤＭ）シンボルを有する基準リソースによって任意に導出され得る。
【０１４０】
実例６８において、実例６４から実例６７のうちのいずれか一つの上記基準リソースは、単一の下りリンクサブフレームにより時間ドメインにおいて定義されるチャネル状態情報（ＣＳＩ）基準リソースを任意に含み得る。
【０１４１】
実例６９において、実例６４から実例６８のうちのいずれか一つの上記プロセッサ回路は、上記ＣＱＩインデックス、プリコーディングマトリックスインジケータ（precoding  matrix  indicator：ＰＭＩ）、及びランク指示（rank  indication：ＲＩ）を含むＣＳＩを報告するようにチャネル状態情報（ＣＳＩ）処理を任意に設定し得る。
【０１４２】
実例７０において、実例６４から実例６９のうちのいずれか一つの上記共有無線下りリンクチャネルは、物理下りリンク共有チャネル（ＰＤＳＣＨ）を任意に含み得る。
【０１４３】
実例７１において、実例６４から実例７０のうちのいずれか一つの当該ＵＥは、上記ＲＦ送信機に結合される１つ又は複数のＲＦアンテナを任意に備え得る。
【０１４４】
実例７２において、実例６４から実例７１のうちのいずれか一つの当該ＵＥは、タッチスクリーンディスプレイを任意に備え得る。
【０１４５】
実例７３は、ユーザ装置（ＵＥ）であって、下りリンク共有チャネルのチャネル状態情報（ＣＳＩ）基準リソースに対するプリコーディングマトリックスインジケータ（ＰＭＩ）、ランク指示（ＲＩ）、及びチャネル品質指標（ＣＱＩ）インデックスを報告するようにＣＳＩ処理を設定するためのプロセッサ回路であって、上記ＣＳＩ基準リソースのセル固有参照信号（ＣＲＳ）オーバヘッドが当該ＵＥのサービングセルのＣＲＳアンテナポートの数に対応するＣＲＳオーバヘッドと同じ値であるパラメータを使用して上記ＣＳＩ基準リソースに対する上記ＣＱＩインデックスを導出する前記プロセッサ回路を備える、ＵＥである。
【０１４６】
実例７４において、実例７３の下りリンク共有チャネルは、物理下りリンク共有チャネル（ＰＤＳＣＨ）を任意に含み得る。
【０１４７】
実例７５において、実例７３又は実例７４のうちのいずれか一つの上記ＣＳＩ基準リソースは、単一の下りリンクサブフレームにより時間ドメインにおいて任意に定義され得る。
【０１４８】
実例７６において、実例７３から実例７５のうちのいずれか一つの上記ＣＳＩ基準リソースは、上記ＣＱＩインデックスが関連している帯域に対応する下りリンク物理リソースブロックのグループにより周波数ドメインにおいて任意に定義され得る。
【０１４９】
実例７７において、実例７３から実例７６のうちのいずれか一つの上記プロセッサ回路は、当該ＵＥのサービングセルのためのＣＳＩを報告するようにＣＳＩ処理を任意に設定し得るとともに、上記ＣＳＩは、上記ＣＱＩインデックス、上記ＰＭＩ、及び上記ＲＩを任意に含み得る。
【０１５０】
実例７８において、実例７３から実例７７のうちのいずれか一つの上記プロセッサ回路は、上記ＣＳＩ基準リソースにおけるエレメントが拡張物理下りリンク制御チャネル（ＥＰＤＣＣＨ）によって使用されないという仮定に基づいて上記ＣＱＩインデックスを任意に導出し得る。
【０１５１】
実例７９において、実例７３から実例７８のうちのいずれか一つの当該ＵＥは、上記ＣＱＩインデックスを送信するために、１つ又は複数の無線周波数（ＲＦ）アンテナと結合されたトランシーバを任意に備え得る。
【０１５２】
実例８０において、実例７３から実例７９のうちのいずれか一つの当該ＵＥは、ユーザ入力装置を任意に備え得る。
【０１５３】
多数の特定の詳細が実施例の完全な理解を提供するためにここで説明された。しかしながら、実施例はこれらの特定の詳細なしで実施され得るということが当業者によって理解されるであろう。他の場合において、周知の動作、構成要素、及び回路は、実施例を不明瞭にしないために詳細に説明されなかった。ここで開示された特定の構造的及び機能的な詳細が代表的であり、実施例の範囲を必ずしも限定するとは限らないということが認識されることができる。
【０１５４】
いくつかの実施例は、“結合される”及び“接続される”という表現を使用して説明され得る。これらの用語は、相互に対する同義語を意図していない。例えば、いくつかの実施例は、２つ以上の要素が互いに直接的な物理的又は電気的接触状態にあるということを示すために、“結合される”及び／又は“接続される”という用語を使用して説明され得る。
【０１５５】
しかしながら、“結合される”という用語は、同様に、２つ以上の要素が互いに直接的な接触状態にないが、それでもやはり互いに協同するか、又は相互作用するということを意味し得る。
【０１５６】
明確に別の方法で表明されない限り、“処理する”、“計算する”、“算出する”、“判定する”などのような用語は、計算システムのレジスタ及び／又はメモリ内の（例えば、電子的な）物理量として表されたデータを計算システムのメモリ、レジスタ、又は他のそのような情報の記憶装置、伝送装置、若しくは表示装置内の物理量として同様に表された他のデータに処理する及び／又は変換するコンピュータ若しくは計算システム、又は同様の電子計算装置の動作及び／又は工程のことを指すということが認識され得る。実施例は、この文脈に限定されない。
【０１５７】
ここで説明された方法が、説明された順序で、又はあらゆる特定の順序で実行される必要がないことに、留意すべきである。さらに、ここで特定された方法に関して説明された様々な作業（activity：アクティビティ）は、連続する方法で、又は並行する方法で実行され得る。
【０１５８】
特定の実施例がここで例示されて説明されたが、同じ目的を達成すると見込まれるあらゆる取り合わせ（arrangement：アレンジメント）が示された特定の実施例の代用にされ得るということが認識されるべきである。この開示は、各種の実施例の全ての改作物又は変形物をカバーすることを意図している。上述の説明が、実例となる方法で行われ、限定的なものではないということが理解されるべきである。上述の実施例とここで明確に説明されなかった他の実施例との組み合わせは、上述の説明を精査することにより当業者には明白であろう。したがって、各種の実施例の範囲は、上述の構成、構造、及び方法が使用されるあらゆる他のアプリケーションを含む。
【０１５９】
読者が技術的開示の性質を迅速に確かめることを可能にするであろう要約を要求する連邦規則法典第３７巻セクション１．７２（ｂ）（37C.F.R.§1.72(b)）に適合するように、本開示の要約が提供されるということが強調される。要約は、要約が請求項の範囲又は意味を解釈するか、又は限定するために使用されないであろう、という了解のもとに提出される。さらに、前述の詳細な説明において、本開示を合理化する目的で様々な特徴が１つの実施例に集められるということが理解され得る。本開示のこの方法は、主張された実施例が、各請求項において明確に暗唱される特徴より更なる特徴を必要とする意図を反映する、と解釈されるべきではない。それどころか、添付の請求項が反映するように、発明の主題は、単一の開示された実施例の全ての特徴より少ない状態にある。したがって、添付の請求項は、この結果、各請求項が個別の好ましい実施例として独立している状態で詳細な説明の中に組み込まれる。添付の請求項において、“含む（including）”及び“その中で（in  which）”という用語は、それぞれ“備える（comprising）”及び“ここで（wherein）”という用語の分かりやすい英語の等価物として使用される。
【０１６０】
さらに、“第１の”、“第２の”、及び“第３の”などの用語は、単にラベルとして使用され、数値的な要求をそれらの対象物に課すことを意図していない。
【０１６１】
主題は、構造上の特徴及び／又は方法論的な活動に特有の言語で説明されているが、添付の請求項において定義された主題は、上記で説明された特定の特徴又は活動に必ずしも限定されるとは限らない、ということが理解されるべきである。それどころか、上記で説明された特定の特徴又は活動は、請求項を実施することの実例形態として開示される。
【符号の説明】
【０１６２】
１００    動作環境
１０２    移動機
１０４    固定型装置
１０６    上りリンクチャネル
１０８    下りリンクチャネル
１１０    基準信号
１１２    チャネル品質インデックス
１１４    メッセージ
２００    機器
２０２    プロセッサ回路
２０４    メモリユニット
２０６    チャネル品質インデックス
２０８    通信コンポーネント
２１０    基準信号
２１２    下りリンクチャネル
２１４    判定コンポーネント
２１６    受信品質パラメータ
２１８    基準リソース
２２０    データＲＥ（上りリンクチャネル）
２２２    オーバヘッドＲＥ
２２４    選択コンポーネント
２４０    システム
２４４    無線周波数（ＲＦ）トランシーバ
２４５    表示装置
２５０    固定型装置
２５７    ＲＦアンテナ
４００    機器
４０２    プロセッサ回路
４０４    メモリユニット
４０６    チャネル品質インデックス
４０８    通信コンポーネント
４１２    下りリンクチャネル
４１４    判定コンポーネント
４２０    上りリンクチャネル
４２４    選択コンポーネント
４３５    メッセージ
４４０    システム
４４４    無線周波数（ＲＦ）トランシーバ
４５０    移動機
４５７    ＲＦアンテナ
６００    記憶媒体
７００    装置
７１０    無線通信インタフェース
７１２    受信機
７１４    周波数シンセサイザ
７１６    送信機
７１８−ｆ    アンテナ
７２０    ベースバンド回路
７２２    Ａ／Ｄ変換器
７２４    Ｄ／Ａ変換器
７２６    ＰＨＹ処理回路
７２７    ＭＡＣ処理回路
７２８    論理回路
７３０    計算プラットフォーム
７３２    メモリコントローラ
７３４    インタフェース
７４０    処理コンポーネント
７５０    他のプラットフォームコンポーネント
８００    広帯域無線アクセスシステム
８１０    インターネット
８１２    アクセスサービスネットワーク（ＡＳＮ）
８１４    基地局
８１６    固定型装置
８１８    アクセスサービスネットワーク（ＡＳＮ）
８２０    基地局
８２２    移動機
８２４    訪問先接続性サービスネットワーク（訪問先ＣＳＮ）
８２６    ホームＣＳＮ
８２８    オペレーションサポートシステム（ＯＳＳ）
【図１】
2016187222.tif 000003
【図２】
2016187222.tif 000004
【図３】
2016187222.tif 000005
【図４】
2016187222.tif 000006
【図５】
2016187222.tif 000007
【図６】
2016187222.tif 000008
【図７】
2016187222.tif 000009
【図８】
2016187222.tif 000010
【外国語明細書】
2016187222000001.pdf